(57)【要約】  複数のサブキャリアを含むスペクトルを用いてマルチキャリア信号を送受信する送信局装置及び受信局装置から構成される通信システムにおいて、前記マルチキャリア信号の送信に利用する利用周波数帯域の周波数利用効率を増加させるように、前記利用周波数帯域において干渉が発生している重畳帯域を利用する割合である重畳率を設定し、設定された前記重畳率に従って割り当てたスペクトルを用いて、前記マルチキャリア信号を送信する。
2010064438.tif 000002
【特許請求の範囲】
【請求項１】
複数のサブキャリアを含むスペクトルを用いてマルチキャリア信号を送受信する送信局装置及び受信局装置から構成される通信システムにおける通信方法であって、
前記マルチキャリア信号の送信に利用する利用周波数帯域の周波数利用効率を増加させるように、前記利用周波数帯域において干渉が発生している重畳帯域を利用する割合である重畳率を設定する制御ステップと、
設定された前記重畳率に従って割り当てたスペクトルを用いて、前記マルチキャリア信号を送信する送信ステップと
を有する通信方法。
【請求項２】
前記通信方法は、前記通信システムが３以上同時に通信を行う際の通信方法であって、
前記受信局装置が、自通信システムに配置された前記スペクトルにおける他の通信システムとの重畳帯域を予め認識する重畳帯域認識ステップと、
前記受信局装置が、前記重畳帯域に対して干渉抑圧技術を適用する干渉抑圧ステップと、
前記受信局装置が、前記干渉抑圧技術を適用した信号を誤り訂正復号することで自受信局装置宛のマルチキャリア信号を受信する誤り訂正復号ステップと、
をさらに有し、
前記制御ステップは、
各スペクトルの帯域幅と、各スペクトルが他のスペクトルと重畳する予め決められた重畳帯域幅から前記重畳率を導いて、前記重畳率が各スペクトルで一定となるように各スペクトルを配置するスペクトル配置ステップと、
自通信システムに配置されたスペクトルを割り当てるスペクトル割り当てステップと
を有し、
前記送信ステップにおいて、前記送信局装置が、前記自通信システムに割り当てられた前記スペクトルを用いて前記マルチキャリア信号を送信する請求項１に記載の通信方法。
【請求項３】
前記スペクトルの帯域幅は前記通信システムごとに可変であり、
前記スペクトル配置ステップにおいて、
前記スペクトルのうち、他のスペクトルよりも帯域幅が狭い２つのスペクトルを前記利用周波数帯域の端部に配置するとともに、前記重畳率が各スペクトルで一定となるように各スペクトルを配置する請求項２に記載の通信方法。
【請求項４】
前記干渉抑圧ステップは、
周波数フィルタを用いて前記認識した重畳帯域の受信信号を減衰させることで干渉抑圧を行う
請求項２または請求項３のいずれかに記載の通信方法。
【請求項５】
前記干渉抑圧ステップは、
前記認識した重畳帯域の受信信号の尤度をマスクし、
前記誤り訂正復号ステップは、
前記尤度をマスクされた受信信号に対して誤り訂正復号することで自受信局装置宛の前記マルチキャリア信号を受信する
請求項２または請求項３のいずれかに記載の通信方法。
【請求項６】
前記スペクトル配置ステップは、
前記受信局装置に設けられた干渉信号検出部によって検出された結果に基づいて前記スペクトルを配置する
請求項２または請求項３のいずれかに記載の通信方法。
【請求項７】
前記スペクトル配置ステップは、
前記送信局装置に設けられた干渉信号検出部によって検出された結果に基づいて前記スペクトルを配置する
請求項２または請求項３のいずれかに記載の通信方法。
【請求項８】
前記スペクトル配置ステップは、
前記送信局装置及び前記受信局装置のいずれとも異なる制御局装置に設けられた干渉信号検出部によって検出された結果に基づいて前記スペクトルを配置する
請求項２または請求項３のいずれかに記載の通信方法。
【請求項９】
ユーザのデータの符号化及び変調を行なう符号化・変調ステップと、
前記ユーザのサービス品質要求が所定のサービス品質よりも高い場合に、当該ユーザのデータ送信に使用する周波数帯域における干渉帯域の割合である重畳率を、前記マルチキャリア信号が使用する周波数帯域における干渉帯域の割合である重畳率よりも低く設定する重畳率判定ステップと、
前記重畳率判定ステップにおいて設定された重畳率に従って、前記符号化・変調ステップにおいて符号化及び変調されたユーザのデータを非干渉帯域及び干渉帯域のサブキャリアへ割り当てるサブキャリア割当ステップと、
前記符号化・変調ステップにおいて符号化及び変調されたユーザのデータを、前記サブキャリア割当ステップにおいて割り当てられたサブキャリアに変調するマルチキャリア変調ステップと、
前記マルチキャリア変調ステップにおいて変調されたサブキャリアをシリアル変換して前記マルチキャリア信号を生成する並列直列変換ステップと、
を有する請求項１に記載の通信方法。
【請求項１０】
前記符号化・変調ステップにおいては、複数の異なるユーザのデータの符号化及び変調を行ない、
前記重畳率判定ステップにおいては、ユーザ全体の平均重畳率が、前記マルチキャリア信号の使用する周波数帯域における干渉帯域の割合である重畳率と一致するように、複数の前記ユーザそれぞれについて、当該ユーザのサービス品質要求が前記所定のサービス品質よりも高い場合には、当該ユーザの重畳率を前記マルチキャリア信号の使用する周波数帯域における干渉帯域の割合である前記重畳率よりも低く設定し、当該ユーザのサービス品質要求が前記所定のサービス品質よりも低い場合に、当該ユーザの重畳率を前記マルチキャリア信号の使用する周波数帯域における干渉帯域の割合である重畳率よりも高く設定し、
前記サブキャリア割当ステップにおいては、各ユーザそれぞれについて、前記重畳率判定ステップにおいて設定された当該ユーザの重畳率に従って、前記符号化・変調ステップにおいて符号化及び変調された当該ユーザのデータを非干渉帯域及び干渉帯域のサブキャリアへ割り当て、
前記マルチキャリア変調ステップにおいては、各ユーザそれぞれについて、前記符号化・変調ステップにおいて符号化及び変調された当該ユーザのデータを、前記サブキャリア割当ステップにおいて当該ユーザのデータへ割り当てられたサブキャリアに変調する請求項９に記載の通信方法。
【請求項１１】
複数のサブキャリアを含むスペクトルを用いてマルチキャリア信号を送受信する送信局装置及び受信局装置から構成される通信システムが３以上同時に通信を行う際に、スペクトル配置を決める制御局装置であって、
前記スペクトルにおける他の通信システムとの重畳帯域の干渉信号を検出する干渉信号検出部と、
各スペクトルの帯域幅と、各スペクトルが他のスペクトルと重畳する予め決められた重畳帯域幅から重畳率を導いて、前記重畳率が各スペクトルで一定となるように各スペクトルを配置するスペクトル配置部と、
割り当てられた前記スペクトルを用いて前記マルチキャリア信号を送信する前記送信局装置と、配置された前記スペクトルにおける他の通信システムとの重畳帯域を認識し、前記重畳帯域に対して干渉抑圧技術を適用して、信号を誤り訂正復号することで自受信局装置宛のマルチキャリア信号を受信する前記受信局装置とが通信を行う通信システムに配置したスペクトルを割り当てるスペクトル割り当て部と、
自通信システムの前記送信局装置及び他の通信システムに対して、割り当てたスペクトルを通知する制御情報配信部と、
を備える制御局装置。
【請求項１２】
複数のサブキャリアを含むスペクトルを用いてマルチキャリア信号を送受信する送信局装置及び受信局装置から構成される通信システムにおける送信局装置であって、
前記マルチキャリア信号の送信に利用する利用周波数帯域の周波数利用効率を増加させるように、前記利用周波数帯域において干渉が発生している重畳帯域を利用する割合である重畳率を設定する制御部と、
設定された前記重畳率に従って割り当てられたスペクトルを用いて、前記マルチキャリア信号を送信する送信部と
を具備する送信局装置。
【請求項１３】
前記通信システムが３以上同時に通信を行い、
前記制御部は、
各スペクトルの帯域幅と、各スペクトルが他のスペクトルと重畳する予め決められた重畳帯域幅から前記重畳率を導いて、前記重畳率が各スペクトルで一定となるように各スペクトルを配置するスペクトル配置部と、
自通信システムに配置されたスペクトルを割り当てるスペクトル割り当て部と
を備える請求項１２に記載の送信局装置。
【請求項１４】
前記スペクトルの配置を行うために前記スペクトルにおける他の通信システムとの重畳帯域の干渉信号を検出する干渉信号検出部を備える請求項１３に記載の送信局装置。
【請求項１５】
ユーザのデータの符号化及び変調を行なう符号化・変調部と、
前記ユーザのサービス品質要求が所定のサービス品質よりも高い場合に、当該ユーザのデータ送信に使用する周波数帯域における干渉帯域の割合である重畳率を、前記マルチキャリア信号が使用する周波数帯域における干渉帯域の割合である重畳率よりも低く設定する重畳率判定部と、
前記重畳率判定部によって設定された重畳率に従って、前記符号化・変調部により符号化及び変調されたユーザのデータを非干渉帯域及び干渉帯域のサブキャリアへ割り当てるサブキャリア割当部と、
前記符号化・変調部により符号化及び変調されたユーザのデータを、前記サブキャリア割当部によって割り当てられたサブキャリアに変調するマルチキャリア変調部と、
前記マルチキャリア変調部により変調されたサブキャリアをシリアル変換して前記マルチキャリア信号を生成する並列直列変換部と、
を備える請求項１２に記載の送信局装置。
【請求項１６】
前記符号化・変調部を複数備え、
複数の前記符号化・変調部それぞれが異なるユーザのデータの符号化及び変調を行ない、
前記重畳率判定部は、ユーザ全体の平均重畳率が、前記マルチキャリア信号の使用する周波数帯域における干渉帯域の割合である重畳率と一致するように、複数の前記ユーザそれぞれについて、当該ユーザのサービス品質要求が前記所定のサービス品質よりも高い場合には、当該ユーザの重畳率を前記マルチキャリア信号の使用する周波数帯域における干渉帯域の割合である前記重畳率よりも低く設定し、当該ユーザのサービス品質要求が前記所定のサービス品質よりも低い場合には、当該ユーザの重畳率を前記マルチキャリア信号が使用する周波数帯域における干渉帯域の割合である重畳率よりも高く設定し、
前記サブキャリア割当部は、各ユーザそれぞれについて、前記重畳率判定部によって設定された当該ユーザの重畳率に従って、前記符号化・変調部により符号化及び変調された当該ユーザのデータを非干渉帯域及び干渉帯域のサブキャリアへ割り当て、
前記マルチキャリア変調部は、各ユーザそれぞれについて、前記符号化・変調部により符号化及び変調された当該ユーザのデータを、前記サブキャリア割当部によって当該ユーザのデータへ割り当てられたサブキャリアに変調する請求項１５に記載の送信局装置。
【請求項１７】
前記重畳率判定部は、前記ユーザのデータの受信品質が所定の閾値よりも高い場合に、当該ユーザの重畳率を高く設定し、前記ユーザのデータの受信品質が前記所定の閾値よりも低い場合に、当該ユーザの重畳率を低く設定する請求項１６に記載の送信局装置。
【請求項１８】
前記重畳率判定部により設定された重畳率に基づいて変調符号化レベルを決定する変調符号化レベル決定部をさらに備え、
前記符号化・変調部は、前記変調符号化レベル決定部によって決定された変調符号化レベルにより前記ユーザのデータの符号化及び変調を行なう請求項１５から請求項１７のいずれかの項に記載の送信局装置。
【請求項１９】
複数のサブキャリアを含むスペクトルを用いてマルチキャリア信号を送受信する送信局装置及び受信局装置から構成される通信システムが３以上同時に通信を行う際に、スペクトル配置を決める通信システムであって、
各スペクトルの帯域幅と、各スペクトルが他のスペクトルと重畳する予め決められた重畳帯域幅から重畳率を導いて、前記重畳率が各スペクトルで一定となるように各スペクトルを配置するスペクトル配置部と、
配置された前記スペクトルを割り当てるスペクトル割り当て部と、
割り当てられた前記スペクトルを用いて前記マルチキャリア信号を送信する送信部と、
割り当てられた前記スペクトルにおける他の通信システムとの重畳帯域を認識し、前記重畳帯域に対して干渉抑圧技術を適用して、信号を誤り訂正復号することで自受信部宛のマルチキャリア信号を受信する受信部と、
を備える通信システム。
【発明の詳細な説明】
【技術分野】
【０００１】
本発明は、マルチキャリア信号を用いた通信に関し、特に、誤り訂正符号を適用したマルチキャリア通信方式における制御局装置、送信局装置、通信方法、及び通信システムに関する。【０００２】
本願は、２００８年１２月４日に日本へ出願された特願２００８−３０９８１５号、および、２００８年１２月１８日に日本へ出願された特願２００８−３２２８６５号に基づき優先権を主張し、それらの内容をここに援用する。
【背景技術】
【０００３】
近年、無線通信分野においては、周波数資源の枯渇問題の深刻化を受け、周波数共用型の無線通信が求められている。図２７は、周波数帯域を共用する無線通信システムの組合せの一例として、周波数チャネルが異なる２つの無線ＬＡＮ（Local Area Network）システムの全体を示す概念図である。
同図において、無線通信システムは、無線ＬＡＮ基地局２ａ、２ｂと、受信機１ａとを備えている。無線ＬＡＮ基地局２ａは、中心周波数ｆａであるＣＨ１の周波数帯域を用いて通信する。一方、無線ＬＡＮ基地局２ｂは、中心周波数ｆｂ（ただし、ｆａ＜ｆｂ）であるＣＨ５の周波数帯域を用いて通信する。【０００４】
このとき受信機１ａは、無線ＬＡＮ基地局２ａと無線ＬＡＮ基地局２ｂとの双方の無線信号が到達する位置に配置され、中心周波数ｆａの無線信号と中心周波数ｆｂの無線信号との二つの無線信号が部分的に互いに干渉した信号を受信する。
このように、受信機１ａが無線ＬＡＮ基地局２ａを通信対象とする場合に、中心周波数ｆａである希望波の送信周波数帯域と、中心周波数ｆｂである無線ＬＡＮ基地局２ｂからの干渉波の送信周波数帯域とが、部分的にオーバーラップ（重複）する周波数共用型の無線通信においても、受信機１ａは、希望波を正確に受信することが必須となる。
なお、周波数帯域を共用する他の例として、無線ＬＡＮシステムと、ｂｌｕｅｔｏｏｔｈ（登録商標）と、ＷｉＭＡＸ（登録商標）との組み合わせなど、異なる通信方式のシステム同士が周波数を共用する場合もある。【０００５】
例えば、図２７に示す受信機１ａが無線ＬＡＮ基地局２ａを通信対象とする場合を想定する。この場合、中心周波数ｆａである無線ＬＡＮ基地局２ａからの希望波の送信周波数帯域と、中心周波数ｆｂである無線ＬＡＮ基地局２ｂからの干渉波の送信周波数帯域とが、部分的にオーバーラップ（重複）する。このような周波数共用型の無線通信システムにおいて、受信機１ａは、希望波を正確に受信することが必須となる。【０００６】
このような周波数を有効に利用する目的で、同一時刻の同一地点において、スペクトル多重手法を用いて周波数資源を共有することにより、複数の通信システムにおいて伝送される信号全体の周波数利用効率を改善するための技術が報告されている（例えば、非特許文献１参照）。【０００７】
一方、非特許文献３には、サブキャリア毎の受信レベルに応じて割当変調方式を変化させる適応変調ＯＦＤＭ（Orthogonal Frequency Division Multiplexing：直交周波数分割多重）システムについて記載されている。
【先行技術文献】
【非特許文献】
【０００８】
【非特許文献１】横田強  他、「重畳伝送法を用いた高速無線ＬＡＮシステムに関する一検討」、電子情報通信学会、信学技報ＲＣＳ、Ｖｏｌ．９９、Ｎｏ．３５５、ｐｐ．１２１−１２６、１９９９年１０月
【非特許文献２】増野淳、秋元守、中津川征士、「ＯＦＤＭＡ無線システムにおけるサブキャリアオーバーラップに関する一検討」、２００８年総合大会講演論文集、電子情報通信学会、Ｂ−５−１３０、ｐ．５１６、２００８年３月
【非特許文献３】小林英雄，「ＯＦＤＭ通信方式の基礎と応用技術」，トリケップス社，２００４年，ｐｐ．１１３−１３０
【発明の概要】
【発明が解決しようとする課題】
【０００９】
しかしながら、非特許文献１には、スペクトル拡散した信号を、スペクトル拡散していない信号に重畳配置するアンダーレイ型の重畳伝送について示されている。この条件による通信システムでは、一般に重畳率が１００％になるが、スペクトル拡散型のシステムは伝送速度に制約があるか、高速伝送を実現するために膨大な周波数帯域が必要になる問題がある。また、スペクトル拡散していない通信システム同士では、信号を重畳伝送することはできない。
また、非特許文献２には、同一の通信システムを用いた場合の下りリンクについて示されており、互いに十分なＤ／Ｕ（Desired to Undesired signal ratio；ＤＵ比）が確保できる端末局に対してのみ、同一サブキャリアを用いた重畳伝送を行っている。ただし、この下りリンクの送信では、送信局装置同士が互いに周波数同期されていることが必要とされている。
上記に示したようにこれまでにも、いくつかの方式について報告が行われているが、設定される条件によって適用可能な範囲が制限されている。例えば、マルチキャリア重畳伝送により周波数資源の有効利用が期待されているのに対し、これまでの報告では重畳される信号は、２信号までの組み合わせの報告しかない。実際に利用される状況では、重畳する信号数を２信号までに制限することが現実的でないにもかかわらず、３以上の信号を重畳することについての報告がない。そのため、重畳する信号が３以上の場合に、周波数を有効利用する観点でどのようなスペクトル配置をすべきか明確化されていなかった。
また、スペクトル配置によっては、無線基地局によって通信が提供されるセル間又はシステム間に伝送特性の優劣が生じる可能性がある。電波利用の公平性を確保する観点からすれば、適切なスペクトル配置が必要とされるにもかかわらず検討されていないという問題があった。
また、３以上の同一の通信システムのスペクトルを連続的に重畳させる場合には、使用帯域の周波数の端部にスペクトルが配置された通信システムに比べ、中央にスペクトルが配置された通信システムでは、重畳率が高くなることにより、通信品質が低下する。例えば、複数のセルに対してスペクトルを配置したときには、使用帯域の周波数の端部以外のセルの通信品質が低下するという問題があった。【００１０】
また、図２７に示すような干渉が発生している場合、送信機がチャネル周波数帯域に複数のＦＥＣ（Forward Error Correction：前方誤り訂正）符号を順に並べて割り当てると、干渉が発生している周波数帯域を使用するＦＥＣブロックについては品質が低下してしまう。非特許文献３においては、サブキャリア毎の受信レベルに応じて割当変調方式を変化させているが、上記のように希望波の送信周波数帯域に干渉が発生している場合、干渉領域及び非干渉状況を考慮してユーザ毎に要求されるＱｏＳ（Quality of Service）を実現することは考慮されていない。【００１１】
本発明は、このような事情を考慮し、上記の問題を解決すべくなされたもので、その目的は、マルチキャリア信号を用いた通信において、周波数利用効率を向上させることが可能な技術を提供することにある。
より具体的には、本発明の目的は、複数のシステムにおいて通信品質を確保して周波数を有効利用できる制御局装置、送信局装置、通信方法、及び通信システムを提供することにある。【００１２】
また、本発明の目的は、使用帯域の一部に干渉が発生している場合においても、ユーザ毎の優先度に応じた無線通信を実現することができるマルチキャリア信号の送信局装置、通信方法、及び通信システムを提供することにある。
【課題を解決するための手段】
【００１３】
（１）上記問題を解決するために、本発明は、複数のサブキャリアを含むスペクトルを用いてマルチキャリア信号を送受信する送信局装置及び受信局装置から構成される通信システムにおける通信方法であって、前記マルチキャリア信号の送信に利用する利用周波数帯域の周波数利用効率を増加させるように、前記利用周波数帯域において干渉が発生している重畳帯域を利用する割合である重畳率を設定する制御ステップと、設定された前記重畳率に従って割り当てたスペクトルを用いて、前記マルチキャリア信号を送信する送信ステップとを有する。【００１４】
（２）本発明の通信方法において、前記通信方法は、前記通信システムが３以上同時に通信を行う際の通信方法であって、前記受信局装置が、自通信システムに配置された前記スペクトルにおける他の通信システムとの重畳帯域を予め認識する重畳帯域認識ステップと、前記受信局装置が、前記重畳帯域に対して干渉抑圧技術を適用する干渉抑圧ステップと、前記受信局装置が、前記干渉抑圧技術を適用した信号を誤り訂正復号することで自受信局装置宛のマルチキャリア信号を受信する誤り訂正復号ステップと、をさらに有し、前記制御ステップは、各スペクトルの帯域幅と、各スペクトルが他のスペクトルと重畳する予め決められた重畳帯域幅から前記重畳率を導いて、前記重畳率が各スペクトルで一定となるように各スペクトルを配置するスペクトル配置ステップと、自通信システムに配置されたスペクトルを割り当てるスペクトル割り当てステップとを有し、前記送信ステップにおいて、前記送信局装置が、前記自通信システムに割り当てられた前記スペクトルを用いて前記マルチキャリア信号を送信するようにしても良い。【００１５】
（３）また、本発明の通信方法において、前記スペクトルの帯域幅は前記通信システムごとに可変であり、前記スペクトル配置ステップにおいて、前記スペクトルのうち、他のスペクトルよりも帯域幅が狭い２つのスペクトルを前記利用周波数帯域の端部に配置するとともに、前記重畳率が各スペクトルで一定となるように各スペクトルを配置するようにしても良い。【００１６】
（４）また、本発明の通信方法において、前記干渉抑圧ステップは、周波数フィルタを用いて前記認識した重畳帯域の受信信号を減衰させることで干渉抑圧を行うようにしても良い。【００１７】
（５）また、本発明の通信方法において、前記干渉抑圧ステップは、前記認識した重畳帯域の受信信号の尤度をマスクし、前記誤り訂正復号ステップは、前記尤度をマスクされた受信信号に対して誤り訂正復号することで自受信局装置宛の前記マルチキャリア信号を受信するようにしても良い。【００１８】
（６）また、本発明の通信方法において、前記スペクトル配置ステップは、前記受信局装置に設けられた干渉信号検出部によって検出された結果に基づいて前記スペクトルを配置するようにしても良い。【００１９】
（７）また、本発明の通信方法において、前記スペクトル配置ステップは、前記送信局装置に設けられた干渉信号検出部によって検出された結果に基づいて前記スペクトルを配置するようにしても良い。【００２０】
（８）また、本発明の通信方法において、前記スペクトル配置ステップは、前記送信局装置及び前記受信局装置のいずれとも異なる制御局装置に設けられた干渉信号検出部によって検出された結果に基づいて前記スペクトルを配置するようにしても良い【００２１】
（９）また、本発明の通信方法において、ユーザのデータの符号化及び変調を行なう符号化・変調ステップと、前記ユーザのサービス品質要求が所定のサービス品質よりも高い場合に、当該ユーザのデータ送信に使用する周波数帯域における干渉帯域の割合である重畳率を、前記マルチキャリア信号が使用する周波数帯域における干渉帯域の割合である重畳率よりも低く設定する重畳率判定ステップと、前記重畳率判定ステップにおいて設定された重畳率に従って、前記符号化・変調ステップにおいて符号化及び変調されたユーザのデータを非干渉帯域及び干渉帯域のサブキャリアへ割り当てるサブキャリア割当ステップと、前記符号化・変調ステップにおいて符号化及び変調されたユーザのデータを、前記サブキャリア割当ステップにおいて割り当てられたサブキャリアに変調するマルチキャリア変調ステップと、前記マルチキャリア変調ステップにおいて変調されたサブキャリアをシリアル変換して前記マルチキャリア信号を生成する並列直列変換ステップと、を有するようにしても良い。【００２２】
（１０）また、本発明の通信方法において、前記符号化・変調ステップにおいては、複数の異なるユーザのデータの符号化及び変調を行ない、前記重畳率判定ステップにおいては、ユーザ全体の平均重畳率が、前記マルチキャリア信号の使用する周波数帯域における干渉帯域の割合である重畳率と一致するように、複数の前記ユーザそれぞれについて、当該ユーザのサービス品質要求が前記所定のサービス品質よりも高い場合には、当該ユーザの重畳率を前記マルチキャリア信号の使用する周波数帯域における干渉帯域の割合である前記重畳率よりも低く設定し、当該ユーザのサービス品質要求が前記所定のサービス品質よりも低い場合に、当該ユーザの重畳率を前記マルチキャリア信号の使用する周波数帯域における干渉帯域の割合である重畳率よりも高く設定し、前記サブキャリア割当ステップにおいては、各ユーザそれぞれについて、前記重畳率判定ステップにおいて設定された当該ユーザの重畳率に従って、前記符号化・変調ステップにおいて符号化及び変調された当該ユーザのデータを非干渉帯域及び干渉帯域のサブキャリアへ割り当て、前記マルチキャリア変調ステップにおいては、各ユーザそれぞれについて、前記符号化・変調ステップにおいて符号化及び変調された当該ユーザのデータを、前記サブキャリア割当ステップにおいて当該ユーザのデータへ割り当てられたサブキャリアに変調するようにしても良い。【００２３】
（１１）また、本発明は、複数のサブキャリアを含むスペクトルを用いてマルチキャリア信号を送受信する送信局装置及び受信局装置から構成される通信システムが３以上同時に通信を行う際に、スペクトル配置を決める制御局装置であって、前記スペクトルにおける他の通信システムとの重畳帯域の干渉信号を検出する干渉信号検出部と、各スペクトルの帯域幅と、各スペクトルが他のスペクトルと重畳する予め決められた重畳帯域幅から重畳率を導いて、前記重畳率が各スペクトルで一定となるように各スペクトルを配置するスペクトル配置部と、割り当てられた前記スペクトルを用いて前記マルチキャリア信号を送信する前記送信局装置と、配置された前記スペクトルにおける他の通信システムとの重畳帯域を認識し、前記重畳帯域に対して干渉抑圧技術を適用して、信号を誤り訂正復号することで自受信局装置宛のマルチキャリア信号を受信する前記受信局装置とが通信を行う通信システムに配置したスペクトルを割り当てるスペクトル割り当て部と、自通信システムの前記送信局装置及び他の通信システムに対して、割り当てたスペクトルを通知する制御情報配信部と、を備えている。【００２４】
（１２）また、本発明は、複数のサブキャリアを含むスペクトルを用いてマルチキャリア信号を送受信する送信局装置及び受信局装置から構成される通信システムにおける送信局装置であって、前記マルチキャリア信号の送信に利用する利用周波数帯域の周波数利用効率を増加させるように、前記利用周波数帯域において干渉が発生している重畳帯域を利用する割合である重畳率を設定する制御部と設定された前記重畳率に従って割り当てられたスペクトルを用いて、前記マルチキャリア信号を送信する送信部とを具備している。【００２５】
（１３）本発明の送信局装置において、前記通信システムが３以上同時に通信を行い、前記制御部は、各スペクトルの帯域幅と、各スペクトルが他のスペクトルと重畳する予め決められた重畳帯域幅から前記重畳率を導いて、前記重畳率が各スペクトルで一定となるように各スペクトルを配置するスペクトル配置部と、通信システムに配置されたスペクトルを割り当てるスペクトル割り当て部とを備えていても良い。【００２６】
（１４）また、本発明の送信局装置において、前記スペクトルの配置を行うために前記スペクトルにおける他の通信システムとの重畳帯域の干渉信号を検出する干渉信号検出部を備えていても良い。【００２７】
（１５）また、本発明の送信局装置において、ユーザのデータの符号化及び変調を行なう符号化・変調部と、前記ユーザのサービス品質要求が所定のサービス品質よりも高い場合に、当該ユーザのデータ送信に使用する周波数帯域における干渉帯域の割合である重畳率を、前記マルチキャリア信号が使用する周波数帯域における干渉帯域の割合である重畳率よりも低く設定する重畳率判定部と、前記重畳率判定部によって設定された重畳率に従って、前記符号化・変調部により符号化及び変調されたユーザのデータを非干渉帯域及び干渉帯域のサブキャリアへ割り当てるサブキャリア割当部と、前記符号化・変調部により符号化及び変調されたユーザのデータを、前記サブキャリア割当部によって割り当てられたサブキャリアに変調するマルチキャリア変調部と、前記マルチキャリア変調部により変調されたサブキャリアをシリアル変換して前記マルチキャリア信号を生成する並列直列変換部と、を備えていても良い。【００２８】
（１６）また、本発明の送信局装置において、前記符号化・変調部を複数備え、複数の前記符号化・変調部それぞれが異なるユーザのデータの符号化及び変調を行ない、前記重畳率判定部は、ユーザ全体の平均重畳率が、前記マルチキャリア信号の使用する周波数帯域における干渉帯域の割合である重畳率と一致するように、複数の前記ユーザそれぞれについて、当該ユーザのサービス品質要求が前記所定のサービス品質よりも高い場合には、当該ユーザの重畳率を前記マルチキャリア信号の使用する周波数帯域における干渉帯域の割合である前記重畳率よりも低く設定し、当該ユーザのサービス品質要求が前記所定のサービス品質よりも低い場合には、当該ユーザの重畳率を前記マルチキャリア信号が使用する周波数帯域における干渉帯域の割合である重畳率よりも高く設定し、前記サブキャリア割当部は、各ユーザそれぞれについて、前記重畳率判定部によって設定された当該ユーザの重畳率に従って、前記符号化・変調部により符号化及び変調された当該ユーザのデータを非干渉帯域及び干渉帯域のサブキャリアへ割り当て、前記マルチキャリア変調部は、各ユーザそれぞれについて、前記符号化・変調部により符号化及び変調された当該ユーザのデータを、前記サブキャリア割当部によって当該ユーザのデータへ割り当てられたサブキャリアに変調するようにしても良い。【００２９】
（１７）また、本発明の送信局装置において、前記重畳率判定部は、前記ユーザのデータの受信品質が所定の閾値よりも高い場合に、当該ユーザの重畳率を高く設定し、前記ユーザのデータの受信品質が前記所定の閾値よりも低い場合に、当該ユーザの重畳率を低く設定するようにしても良い。【００３０】
（１８）また、本発明の送信局装置において、前記重畳率判定部により設定された重畳率に基づいて変調符号化レベルを決定する変調符号化レベル決定部をさらに備え、前記符号化・変調部は、前記変調符号化レベル決定部によって決定された変調符号化レベルにより前記ユーザのデータの符号化及び変調を行なうようにしても良い。【００３１】
（１９）また、本発明は、複数のサブキャリアを含むスペクトルを用いてマルチキャリア信号を送受信する送信局装置及び受信局装置から構成される通信システムが３以上同時に通信を行う際に、スペクトル配置を決める通信システムであって、各スペクトルの帯域幅と、各スペクトルが他のスペクトルと重畳する予め決められた重畳帯域幅から重畳率を導いて、前記重畳率が各スペクトルで一定となるように各スペクトルを配置するスペクトル配置部と、配置された前記スペクトルを割り当てるスペクトル割り当て部と、割り当てられた前記スペクトルを用いて前記マルチキャリア信号を送信する送信部と、割り当てられた前記スペクトルにおける他の通信システムとの重畳帯域を認識し、前記重畳帯域に対して干渉抑圧技術を適用して、信号を誤り訂正復号することで自受信部宛のマルチキャリア信号を受信する受信部と、を備えている。
【発明の効果】
【００３２】
本発明によれば、複数のサブキャリアを含むスペクトルを用いてマルチキャリア信号を送受信する通信システムにおいて、重畳率の設定によって、マルチキャリア信号の送信に利用する利用周波数帯域の周波数利用効率を向上できる。【００３３】
また、本発明によれば、複数のサブキャリアを含むスペクトルを用いてマルチキャリア信号を送受信する送信局装置及び受信局装置から構成される通信システムが３以上同時に通信を行う際に、スペクトル配置が決まる。送信局装置は、自システムに割り当てられたスペクトルを用いてマルチキャリア信号を送信する。受信局装置は、自システムに配置されたスペクトルにおける他の通信システムとの重畳帯域を予め認識する。受信局装置は、重畳帯域に対して干渉抑圧技術を適用し、干渉抑圧技術を適用した信号を誤り訂正復号することで自受信局装置宛のマルチキャリア信号を受信する。各スペクトルの帯域幅と、各スペクトルが他のスペクトルと重畳する予め決められた重畳帯域幅から重畳率を導いて、重畳率が各スペクトルで一定となるように各スペクトルを配置する。
このように、重畳率が各スペクトルで一定となるように各スペクトルを配置することで、スペクトルごとに重畳による影響を低減し、実質的な通信品質を確保して周波数を有効利用できる周波数配置方法を提供できる。【００３４】
また、本発明では、スペクトルの帯域幅は通信システムごとに可変であり、スペクトル配置ステップにおいて、他のスペクトルよりも帯域幅が狭い２つのスペクトルを利用周波数帯域の端部に配置するとともに、重畳率が各スペクトルで一定となるように各スペクトルを配置する。
このような配置によって、帯域幅の狭いスペクトルであっても所定の帯域を確保することができるようになる。さらに、重畳率が各スペクトルで一定となるようにスペクトルを配置することにより全体の伝送効率を高くすることができる。【００３５】
また、本発明では、受信局は、認識した重畳帯域の受信信号を周波数フィルタを用いて減衰させることで干渉抑圧を行う。
これにより、干渉波が含まれる帯域を除去することができ、受信した受信信号の干渉波を抑圧することができる。【００３６】
また、本発明では、受信局は、認識した重畳帯域の受信信号の尤度をマスクし、尤度をマスクされた受信信号に対して誤り訂正復号することで自受信局装置宛のマルチキャリア信号を受信する。
これにより、干渉波が含まれるスペクトルを除去することができ、受信した受信信号の干渉波を抑圧することができる。【００３７】
また、本発明によれば、希望波の周波数帯域の一部に干渉が発生している場合、マルチキャリア信号の送信局装置は、ユーザ毎の優先度に応じて重畳率を変化させることにより、要求される優先度に応じた品質の無線通信を行なうことが可能となる。また、データの受信品質に応じて重畳率を変えることにより、周波数利用効率の向上を図ることが可能となる。
【図面の簡単な説明】
【００３８】
【図１】本発明の第１実施形態による通信システムを示すブロック図である。
【図２Ａ】第１実施形態における周波数配置の重畳を示す図である。
【図２Ｂ】第１実施形態における周波数配置の重畳を示す図である。
【図２Ｃ】第１実施形態における周波数配置の重畳を示す図である。
【図３】第１実施形態による受信局装置を示すブロック図である。
【図４】第１実施形態における周波数配置を示す図である。
【図５】第１実施形態における通信システムの動作を示すフローチャートである。
【図６】第２実施形態による通信システムを示すブロック図である。
【図７】第２実施形態における通信システムの動作を示すフローチャートである。
【図８】第３実施形態による通信システムを示すブロック図である。
【図９】第３実施形態における通信システムの動作を示すフローチャートである。
【図１０】第４実施形態による受信局装置を示すブロック図である。
【図１１Ａ】第４実施形態による受信局装置の動作を示す図である。
【図１１Ｂ】第４実施形態による受信局装置の動作を示す図である。
【図１１Ｃ】第４実施形態による受信局装置の動作を示す図である。
【図１２】本発明の第５実施形態による信号送信装置の動作概要を示す図である。
【図１３】第５実施形態による信号送信装置の構成を示すブロック図である。
【図１４】図１３に示す信号送信装置を用いた通信システムにおけるフローを示す図である。
【図１５】第５実施形態によるＱｏＳ及び受信品質の組み合わせと、重畳率の関係を示す図である。
【図１６Ａ】符号化・変調器を１つのみ用いる場合のスケジューリングを示す図である。
【図１６Ｂ】符号化・変調器を１つのみ用いる場合のスケジューリングを示す図である。
【図１７】干渉帯域のマスクを行う信号受信装置の内部構成を示すブロック図である。
【図１８】図１７に示す信号受信装置の動作フローを示す図である。
【図１９Ａ】図１７に示す信号受信装置の動作の概念図である。
【図１９Ｂ】図１７に示す信号受信装置の動作の概念図である。
【図１９Ｃ】図１７に示す信号受信装置の動作の概念図である。
【図１９Ｄ】図１７に示す信号受信装置の動作の概念図である。
【図２０Ａ】他の重み付けの例を示す図である。
【図２０Ｂ】他の重み付けの例を示す図である。
【図２１】フィルタリングを行なう受信装置の機能構成を表すブロック図である。
【図２２】受信信号と、所望信号と、干渉信号との周波数スペクトルを表す概念図である。
【図２３】図２１に示すフィルタ制御部によって行われるフィルタ制御処理の概略を表す概略図である。
【図２４】図２１に示すフィルタ制御部によって行われるフィルタ制御処理の概略を表す概略図である。
【図２５】図２１に示すフィルタ制御部によって行われるフィルタ制御処理の概略を表す概略図である。
【図２６】図２１に示す信号受信装置のフィルタ制御手順を示すフローチャートである。
【図２７】周波数チャネルが異なる２つの無線通信システムにおける干渉を示す図である。
【発明を実施するための形態】
【００３９】
以下、本発明の各実施形態による通信システムについて図面を参照して説明する。
【００４０】
本発明の各実施形態では、従来の通信システムに比べて、全体の周波数利用効率が向上するように、重畳率（すなわち、信号の送信に使用する周波数帯域において干渉が発生している重畳帯域を利用する割合であって、スペクトルの帯域幅と、他のスペクトルと重畳する予め決められた重畳帯域幅から導かれる）を設定することを特徴の一つとしている。
（第１実施形態）
図１は、本発明の第１実施形態による通信システムを示すブロック図である。
この図には、同じ周波数の電波を利用して通信を行う３つの通信システムとして、通信システム１００、７００及び８００が示されている。通信システム１００、７００及び８００は、同じシステム構成が用いられたそれぞれ独立した通信システムである。
通信システム１００は、基地局装置１１０と端末局装置１２０を備えている。通信システム７００は、基地局装置７１０と端末局装置７２０を備えている。通信システム８００は、基地局装置８１０と端末局装置８２０を備えている。
【００４１】
各通信システムに割り付けられた周波数は、使用する電波の帯域が重畳されるように配置される。
図２Ａ〜図２Ｃは、第１実施形態における周波数配置の重畳状態を示す概念図である。
図２Ａには、周波数軸に割り付けられる所望の信号が搬送される信号Ｗ１、及び信号Ｗ１と帯域の一部（帯域ｆｂ１２）が重複して割り付けられる信号Ｗ２が示される。この図において、縦軸はパワーを示し、横軸は周波数を示す。
信号Ｗ１は、信号Ｗ１を搬送する複数のサブキャリアＳＣ１−１からＳＣ１−ｎを収容するナイキスト周波数によって示される帯域ｆａ１を有する。
信号Ｗ２は、信号Ｗ２を搬送する複数のサブキャリアＳＣ２−１からＳＣ２−ｎを収容するナイキスト周波数によって示される帯域ｆａ２を有する。
ここで、所望の信号を信号１としたとき、希望波は帯域ｆａ１によって送信され、帯域ｆａ２によって送信される信号２を搬送する搬送波が干渉波になる。
信号Ｗ１の搬送波における重畳率は、Ｒｏｖ１＝ｆｂ１２／ｆａ１であり、信号Ｗ２の搬送波における重畳率は、Ｒｏｖ２＝ｆｂ１２／ｆａ２である。
【００４２】
図２Ｂに示される周波数配列では、重畳する帯域がない割り付けが示されている。この図において、縦軸はパワーを示し、横軸は周波数を示す。この配列では、周波数軸に割り付けられる所望の信号が搬送される信号Ｗ１、及び信号Ｗ１とガードバンド（ｆｇ１２）を介して隣接する信号Ｗ２が示される。
図２Ｂに示される信号Ｗ１と信号Ｗ２は、図２Ａと同じ帯域ｆａ１と帯域ｆａ２を有することから、重畳させないで割り付けを行っていた従来の割り付け方法では、占有する周波数帯域は広くなり、利用効率が低下するものであった。
【００４３】
図２Ｃに示される周波数配列では、３つの信号（Ｗ１、Ｗ２及びＷ３）を連続した配列に割り付けた状態が示される。なお、信号Ｗ３は、信号Ｗ２と帯域の一部（帯域ｆｂ２３）が重複する信号である。この図において、縦軸はパワーを示し、横軸は周波数を示す。この図に示される信号Ｗ２は、信号Ｗ１だけでなく信号Ｗ３とも帯域が重畳することから、その重畳率は、
【００４４】
Ｒｏｖ２’＝（ｆｂ１２＋ｆｂ２３）／ｆａ２
【００４５】
になる。
このように各通信システムには、図２Ｃに示したいずれかの帯域がそれぞれ割り付けられる。そして、各通信システムが他の通信システムの電波を受信した場合に、干渉による影響を互いに受けることがある範囲を明示することができる。
【００４６】
図１に戻り、各通信システムを構成する装置について説明する。以下、通信システム１００の下り回線（すなわち基地局装置１１０から端末局装置１２０方向）を例にして、各通信システムにおける構成を代表して説明する。
通信システム１００における基地局装置１１０は、送信部１１１、受信部１１２、制御部１１３及び空中線１１４を備える。
基地局装置１１０における送信部１１１は、端末局装置１２０に対しての送信信号を生成する。
送信部１１１は、送信ベースバンド信号生成器１１１ａとアップコンバータ装置１１１ｂを備える。送信部１１１における送信ベースバンド信号生成器１１１ａは、送信する情報に基づいて送信ベースバンド信号を生成する。生成された送信ベースバンド信号は、送信周波数に同期して出力される。送信周波数は、割り付けられた帯域に応じて定められ、帯域幅制御情報によって制御される。
アップコンバータ装置１１１ｂは、入力される送信ベースバンド信号を、設定される送出周波数に基づいて周波数変換して出力する。アップコンバータ装置１１１ｂから出力された送信信号は、図示されない符号化処理、誤り訂正符号化処理、変調処理などを行う図示されない送信信号処理部を経て、空中線１１４から送出される。出力される無線信号は、複数のサブキャリアによって搬送される帯域を有するチャネルに割り付けられている。
【００４７】
受信部１１２は、入力される受信信号の受信処理を行う。受信部１１２は、干渉波検出装置１１２ａを備える。干渉波検出装置１１２ａは、基地局装置１１０の希望波における利用周波数帯域のうち、他のシステムから送信される無線信号によって干渉が発生する周波数帯域を入力される受信信号から検出する。
干渉波検出装置１１２ａは、例えば、希望波が送信されていない環境において、当該希望波の利用周波数帯域のサブキャリアごとに、他無線信号の有無、信号強度などを検出することにより、干渉が発生する特定サブキャリアを検出する。
干渉波検出装置１１２ａは、例えば、特定サブキャリアであるサブキャリアに対して「１」を対応付け、特定サブキャリア以外のサブキャリアに対して「０」を対応付けた干渉帯域判定値の列として、特定サブキャリア判定値の列を生成する。干渉波検出装置１１２ａは、検出結果を干渉波情報として出力する。
【００４８】
制御部１１３における周波数割当装置１１３ａは、干渉波情報として入力されるサブキャリアごとの干渉状況を示す干渉帯域判定値に基づいて、定められる規則にしたがって自通信システムで用いるチャネルを選定する。周波数変更装置１１３ｂは、そのチャネルにおける周波数配列にしたがって、各サブキャリアで利用する周波数を割り付けて、割り付けられた周波数に応じて送信周波数の変更を行う。帯域幅変更装置１１３ｃは、干渉波情報として入力されるサブキャリアごとの干渉状況を示す干渉帯域判定値に基づいて、定められる規則にしたがって自通信システムで送信できる帯域幅を選定する。帯域幅変更装置１１３ｃは、選定した帯域幅に基づいて送信部１１１によって送信する帯域幅の制御を行う。
【００４９】
通信システム１００において、端末局装置１２０は、常に周波数の走査を行い、対向する基地局装置１１０によって送信される周波数割付に追従する。端末局装置１２０は、送信部１２１、受信部１２２及び制御部１２３を備える。
端末局装置１２０における送信部１２１は、端末局装置１２０から送信する信号を無線信号に変換し空中線１２４を介して出力する。送信部１２１は、対向する基地局装置１１０に対しての送信信号を生成する。受信部１２２は、対向する基地局装置１１０からの無線信号を受信する。受信部１２２が受信する無線信号の干渉帯域には、干渉信号が含まれる。この干渉信号の影響を低減するため、受信部１２２は、干渉信号を除去する構成を備えている。
【００５０】
受信部１２２における一形態について説明する。
図３は、第１実施形態による受信局装置を示すブロック図である。
受信部１２２は、ＢＷＬフィルタ１２２ａ、復調器１２２ｂ、干渉波検出装置１２２ｃ、マスク処理部１２２ｄ及び復号器１２２ｅを備える。
【００５１】
受信部１２２におけるＢＷＬフィルタ（Bandwidth Limitation filter）１２２ａは、所望のチャネルの帯域を選択的に透過する。
復調器１２２ｂは、受信した誤り訂正符号化された希望波を含む無線信号をサブキャリアごとに電気信号に変換し、復調したサブキャリアごとの復調値ＤＭ１〜ＤＭ８を出力する。
干渉波検出装置１２２ｃは、入力された受信信号に基づいて、そのチャネルが有する帯域から干渉帯域における干渉信号を検出することによって、干渉波を認識する。
【００５２】
マスク処理部１２２ｄは、マスクコード生成器１２２ｄ１、マスク処理部１２２ｄ２、及び合成器１２２ｄ３を備える。
マスク処理部１２２ｄにおけるマスクコード生成器１２２ｄ１は、入力されるサブキャリアごとの干渉信号に応じてマスクすべきサブキャリアの復調値をマスクするマスキングコードを出力する。図では、マスクすべきサブキャリアの復調値は、復調値ＤＭ７及びＤＭ８である。マスクコード生成器１２２ｄ１が生成したマスクコードでは、マスクを行うサブキャリアを「０」で示し、マスクを行なわないサブキャリアを「１」で示す。マスク処理部１２２ｄ２は、入力される復調値と生成されたマスキングコードに応じて、乗算処理を行う。乗算処理の結果、マスク処理が行われ、復調値ＤＭ７及びＤＭ８は「０」に置換され、他の復調値ＤＭ１からＤＭ６までの信号が透過される。合成器１２２ｄ３は、復調値ＤＭ１からＤＭ６までの信号と、復調値ＤＭ７及びＤＭ８を置換した「０」とを合波し、合波された信号を選択されたデータ列として復号器１２２ｅへ出力する。
【００５３】
復号器１２２ｅは、マスク処理部１２２ｄによって選択されたデータ列に基づき、誤り訂正処理及び復号処理を行い、サブキャリアごとの復号結果を出力する。復号器１２２ｅにおける復号処理では、希望波の符号化方法に対応する復号処理を選択することができる。
以上の処理により、干渉帯域に含まれた干渉信号がマスク処理部１２２ｄによって除去されて、受信信号の復号処理が行える。
【００５４】
図を参照し、周波数配置の決定則について説明する。
図４は、第１実施形態における周波数配置を示す図である。
この図において、縦軸はパワーを示し、横軸は周波数を示す。この図の周波数軸に示された範囲には、異なる周波数帯域を有する５個のチャネルが配列されている。各チャネルを重畳させていることから、５個のチャネルが、それぞれのチャネルの帯域の合計に比べ狭い帯域に割り付けられている。各チャネルを重畳させることにより各チャネルには干渉が生じるが、復号処理における誤り補償などにより誤り率低下を防ぐことができる。重畳させる各チャネルは、周波数の低い方から順にチャネルｃｈ１、ｃｈ２、ｃｈ３、ｃｈ４及びｃｈ５とし、全体の伝送容量を最大にする配列を選択する。
【００５５】
各システムが有するスペクトルをそれぞれのチャネルに割り付ける規則を示す。本実施形態に示すスペクトル配置方法では、それぞれのチャネルは異なったスペクトル幅（周波数幅）及びそのスペクトルを有するチャネルの帯域が異なった周波数帯域幅を有している場合に適したスペクトルの配置方法を示す。
図４（ａ）には、本実施形態の配置方法によらない配置例が示されている。この図に示される各チャネルの周波数帯域幅ｐｆを配列で示すと次式に示される。
【００５６】
（ｐｆ１，ｐｆ２，ｐｆ３，ｐｆ４，ｐｆ５）
＝（ｆａ，ｆａ，ｆｎ，ｆｎ，ｆａ）
【００５７】
各チャネルの周波数帯域幅ｆａ及びｆｎは、異なる周波数帯域幅を有している。例えば、ｆａが１０ＭＨｚ、ｆｎが５ＭＨｚのように、互いに明らかに異なる周波数帯域幅をそれぞれ有している。そのため、帯域の狭い周波数帯域幅のチャネルが、それぞれが重畳しながら連続して割り付けられると、その帯域の周波数軸上で隣接するチャネルの双方から、重畳帯域として共有されることになる。その結果、占有できる周波数帯域が少なくなり、実質的な通信品質が低下することになる。
【００５８】
図４（ｂ）には、本実施形態の配置方法による配置例が示されている。この図に示される各チャネルの周波数帯域幅ｆを配列で示すと次式に示される。
【００５９】
（ｆ１，ｆ２，ｆ３，ｆ４，ｆ５）
＝（ｆｎ，ｆａ，ｆａ，ｆａ，ｆｎ）
【００６０】
各チャネルの周波数帯域幅ｆ１、ｆ２、ｆ３、ｆ４及びｆ５は、異なる周波数帯域幅（ｆａ及びｆｎ）を示すチャネルが割り付けられている。図に示されるように周波数帯域幅ｆａは、周波数帯域幅ｆｎに比べ、広い周波数範囲を占有し、実質的な帯域も広いものである。このように、狭帯域のスペクトルを利用周波数帯域の端部に配置する。すなわち、他のスペクトルよりも帯域幅が狭い２つのスペクトルを利用周波数帯域の端部に配置する。より具体的には、最も狭帯域なスペクトル、および、当該スペクトルの次に狭帯域なスペクトルを利用周波数帯域の端部に配置する。なお、最も狭帯域なスペクトルが複数存在する場合には、これらスペクトルのうちの２つを利用周波数帯域の端部に配置する。また、最も狭帯域なスペクトルが１つであり、当該スペクトルの次に狭帯域なスペクトルが複数存在する場合には、最も狭帯域なスペクトル、および、当該スペクトルの次に狭帯域な複数のスペクトルのうちのいずれかのスペクトルを利用周波数帯域の端部に配置する。これにより、前述の図４（ａ）で示したように狭帯域のスペクトルを中央側に配置したことによって生じる問題を回避することができる。
【００６１】
続いて、具体的な例を用いて、上記に示したスペクトル配置方法の効果について示す。
図４（ｃ）には、３つのチャネルに異なる周波数帯域幅を有するスペクトルが配置された場合を示す。周波数の低いほうから配列で示すと次のように示すことができる。
【００６２】
（ｆ１，ｆ２，ｆ３）
＝（ｆｎ，ｆａ，ｆｎ）
【００６３】
ここで、周波数帯域幅ｆａとｆｎは次の関係を有する。
【００６４】
ｆｎ＝ｆａ／２
【００６５】
すなわち、中央のチャネルに割り付けられたスペクトルの周波数帯域幅ｆａは、端部のチャネルに割り付けられたスペクトルの周波数帯域幅ｆｎの２倍の帯域幅を有している。
また、図４（ｄ）に示されるように、３つのチャネルに割り付けられたスペクトルが全て同じ周波数帯域幅ｆａを有している場合との比較を行うこととする。
【００６６】
図４（ｅ）は、上記（ｃ）と（ｄ）とに示された場合の周波数利用効率を算定したものである。上記（ｃ）の条件を「本案」として示し、（ｄ）の条件を「従来法」として示す。
この選定した条件を次に示す。適用する通信システムは、IEEE802.16e規格におけるダウンリンクに適用されるDL-FUSC（Down Link-Full Usage of SubChannelization）モードに準ずる。また、変調方式は、符号化率を１／２とした６４ＱＡＭ（Quadrature Amplitude Modulation）とし、符号化方式はＣＴＣ（Convolutional Turbo Code）とする。
図４（ｅ）に示されるように、従来法による周波数利用効率は、３bit/sec/Hz（ビット／秒／ヘルツ）であったが、本案による周波数利用効率は、４．１７bit/sec/Hz（ビット／秒／ヘルツ）を示す。すなわち、１．３９倍周波数利用効率が高くなったことが示される。
【００６７】
続いて、図を参照して周波数の割り付け手順を説明する。
図５は、第１実施形態における通信システムの動作を示すフローチャートである。
送信局となる基地局装置１１０において、空中線１１４によって捕捉された受信信号を受信部１１２が受信する（ステップＳａ１１）。受信部１１２の干渉波検出装置１１２ａが、干渉波の検出を行う（ステップＳａ１２）。検出された干渉波情報に基づいて周波数割当装置１１３ａが、周波数割付規則にしたがって周波数配列を選択し配置する（ステップＳａ１３）。配置された周波数配列に基づいて周波数割当装置１１３ａが、周波数の割り付けを行う（ステップＳａ１４）。割り付けられた周波数にしたがって、周波数変更装置１１３ｂが、送信部１１１の送信周波数を変更する（ステップＳａ１５）。送信部１１１では、割り付けられた周波数に基づいて割り付けられた帯域に適応するために、帯域幅変更装置１１３ｃは、自通信システムで送信できる帯域幅を選定し、選定した帯域幅に基づいて送信部１１１から送信する帯域幅の制御を行う。送信部１１１では、送信ベースバンド信号生成器１１１ａが出力するクロックの周波数を帯域幅の制御に応じて変更する。また送信部１１１では、アップコンバータ装置１１１ｂの出力周波数を変更して送信信号を生成し、空中線１１４を介して送出する（ステップＳａ１６）。
上記の手順により、基地局装置１１０によって受信された受信信号における干渉状況に基づいて、基地局装置１１０が送信する送信周波数を決定することが可能となる。
【００６８】
（第２実施形態）
以下、本発明の第２実施形態による通信システムについて図面を参照して説明する。
図６は、本発明の第２実施形態による通信システムを示すブロック図である。
この図には、同じ周波数の電波を利用して通信を行う３つの通信システムとして、通信システム２００、７００及び８００が示されている。通信システム２００、７００及び８００は、同じシステム構成が用いられたそれぞれ独立した通信システムである。
図６において、図１と同じ構成には同じ符号を付している。以下では、図１と異なる構成について説明する。
通信システム２００は、対向して通信する基地局装置２１０と端末局装置２２０を備える。通信システム２００は、通信システム７００及び８００において送信される無線信号を干渉波として受信する。
【００６９】
以下、通信システム２００の下り回線（すなわち基地局装置２１０から端末局装置２２０方向）を例にして、各通信システムにおける構成を代表して説明する。
通信システム２００において基地局装置２１０は、送信部１１１、受信部２１２、制御部１１３及び空中線１１４を備える。
基地局装置２１０における受信部２１２は、入力される受信信号の受信処理を行う。受信部２１２は、制御情報抽出装置２１２ａを備える。制御情報抽出装置２１２ａは、端末局装置２２０から送信された無線信号によって伝送されたパケットに含まれる情報を抽出する。端末局装置２２０から送付される情報は、端末局装置２２０側における受信状況並びにその受信状況に適応させるために設定した端末局装置２２０における各種設定情報がある。制御情報抽出装置２１２ａは、基地局装置２１０が送出する無線信号（希望波）における利用周波数帯域のうち干渉が発生するとして検出された周波数帯域の情報を抽出し、干渉波情報として出力する。
制御部１１３は、抽出された干渉波情報に基づいて、定められた規則にしたがって周波数配列を決定し、その配列にしたがって周波数の割当を行う。定められた規則は、第１実施形態に示した周波数決定則と同じ規則である。
送信部１１１は割り付けられた周波数によって送信信号を出力する。
制御部１１３及び送信部１１１の詳細は、前述の図１を参照して説明した通りである。
【００７０】
通信システム２００において端末局装置２２０は、送信部２２１、受信部２２２、制御部２２３及び空中線１２４を備える。
端末局装置２２０における送信部２２１は、基地局装置２１０に対して情報を送信する送信ベースバンド信号生成器２２１ａを備える。送信ベースバンド信号生成器２２１ａは、入力された制御情報に基づいて、干渉波に関する情報を制御情報部に含んだパケットを生成する。送信ベースバンド信号生成器２２１ａは、パケット化された干渉波情報による送信ベースバンド信号を生成する。
【００７１】
受信部２２２は、基地局装置２１０から送信された無線信号を空中線１２４を介して受信する。受信部２２２は、受信した受信信号の受信処理を行って受信データの抽出を行う。また、受信部２２２は、受信した無線信号に基づいて、端末局装置２２０側における受信状況を示す情報を抽出する。
受信部２２２は、干渉波検出装置２２２ａを備える。受信部２２２における干渉波検出装置２２２ａは、入力される受信信号から、基地局装置１１０が送信した希望波における利用周波数帯域のうち、他のシステムから送信される無線信号によって干渉が発生する周波数帯域を検出する。干渉波検出装置２２２ａは、例えば、希望波が送信されていない環境において、当該希望波の利用周波数帯域のサブキャリアごとに、他無線信号の有無、信号強度などを検出することにより、干渉が発生する特定サブキャリアを検出する。干渉波検出装置２２２ａは、例えば、特定サブキャリアであるサブキャリアに対して「１」を対応付け、特定サブキャリア以外のサブキャリアに対して「０」を対応付けた干渉帯域判定値の列として、特定サブキャリア判定値の列を生成する。干渉波検出装置２２２ａは、検出結果を干渉波情報として出力する。
【００７２】
制御部２２３は、制御情報付加装置２２３ａを備える。制御部２２３における制御情報付加装置２２３ａは、検出された干渉波情報に基づいて、基地局装置２１０に通知する情報に干渉波情報を含ませた制御情報を生成し、送信部２２１に入力する。
【００７３】
続いて、図を参照して周波数の割り付け手順を説明する。
図７は、第２実施形態における通信システムの動作を示すフローチャートである。
受信局となる端末局装置２２０において、空中線１２４によって捕捉された受信信号を受信部２２２が受信する（ステップＳｂ１１）。受信部２２２の干渉波検出装置２２２ａが、干渉波の検出を行う（ステップＳｂ１２）。
制御情報付加装置２２３ａが、検出された干渉波情報に基づいて干渉波に関する情報を含んだ制御情報を生成し出力する（ステップＳｂ１３）。送信ベースバンド信号生成器２２１ａは、入力された制御情報に基づいて、干渉波に関する情報を制御情報部に含んだパケットを生成し出力する。出力されたパケットは、無線信号に変換され端末局装置２２０から送出される（ステップＳｂ１４）。
【００７４】
対向する基地局装置２１０では、端末局装置２２０から送出された無線信号を受信する。受信部２１２における制御情報抽出装置２１２ａは、端末局装置２２０から送信された無線信号によって伝送されたパケットに含まれる情報を抽出する。制御情報抽出装置２１２ａは、端末局装置２１０において検出された干渉波情報を出力する（ステップＳｂ１５）。周波数割当装置１１３ａは、出力された干渉波情報に基づいて、周波数割付規則にしたがって周波数配列を選択し配置する（ステップＳｂ１６）。配置された周波数配列に基づいて周波数割当装置１１３ａが、周波数の割り付けを行う（ステップＳｂ１７）。割り付けられた周波数にしたがって、周波数変更装置１１３ｂが、送信部１１１の送信周波数を変更する（ステップＳｂ１８）。送信部１１１が、割り付けられた周波数に基づいて、割り付けられた帯域に適応するために、帯域幅変更装置１１３ｃは、自通信システムで送信できる帯域幅を選定し、選定した帯域幅に基づいて送信部１１１から送信する帯域幅の制御を行う。送信部１１１では、送信ベースバンド信号生成器１１１ａが出力するクロックの周波数を帯域幅の制御に応じて変更する。また送信部１１１では、アップコンバータ装置１１１ｂの出力周波数を変更して送信信号を生成し、空中線１１４を介して送出する（ステップＳｂ１９）。
上記の手順により、端末局装置２２０によって受信された受信信号における干渉状況に基づいて、基地局装置２１０が送信する送信周波数を決定することが可能となる。
【００７５】
（第３実施形態）
以下、本発明の第３実施形態による通信システムについて図面を参照して説明する。
図８は、第３実施形態による通信システムを示すブロック図である。
この図には、同じ周波数の電波を利用して通信を行う３つの通信システムとして、通信システム３００、７００ｃ及び８００ｃが示されている。通信システム３００、７００ｃ及び８００ｃは、同じシステム構成が用いられたそれぞれ独立した通信システムである。
通信システム３００は、基地局装置３１０と端末局装置１２０を備えている。通信システム７００ｃは、基地局装置７１０ｃと端末局装置７２０を備えている。通信システム８００ｃは、基地局装置８１０ｃと端末局装置８２０を備えている。それぞれの通信システムにおいて、備えられた基地局装置と端末局装置とが定められた周波数を利用して通信する。また、通信システム７００ｃ及び８００ｃは、周波数制御に必要とされる周波数制御情報が通信システム３００から通知される。
また、図８において、図１と同じ構成には同じ符号を付している。以下では、図１と異なる構成について説明する。
通信システム３００は、基地局装置３１０及び端末局装置１２０、並びに基地局装置３１０及び端末局装置１２０の制御を行う制御局装置３３０を備える。通信システム３００は、通信システム７００ｃ及び８００ｃにおいて送信される無線信号を干渉波として受信する。無線信号における干渉波による干渉状況は、制御局装置３３０において検出される。その干渉状況に基づいて、周波数の配置が行われた結果を通信手段によって通信システム３００の基地局装置３１０及び各通信システム７００ｃ及び８００ｃに通知する。
【００７６】
以下、通信システム３００の下り回線（すなわち基地局装置３１０から端末局装置１２０方向）を例にして、各通信システムにおける構成を代表して説明する。
通信システム３００において基地局装置３１０は、送信部３１１、受信部３１２、制御部３１３及び空中線１１４を備える。
基地局装置３１０における送信部３１１は、端末装置１２０に対しての送信信号を生成する。送信部３１１は、送信ベースバンド信号生成器３１１ａとアップコンバータ装置１１１ｂを備える。送信部３１１における送信ベースバンド信号生成器３１１ａは、送信する情報に基づいて送信ベースバンド信号を生成する。生成された送信ベースバンド信号は、送信周波数に同期して出力される。
基地局装置３１０における受信部３１２は、入力される受信信号の受信処理を行う。
制御部３１３は、制御情報受信装置３１３ａ、周波数変更装置３１３ｂを備える。制御情報受信装置３１３ａは、制御局装置３３０から送信された周波数制御情報を受信し、無線信号によって伝送されたパケットに含まれる情報を抽出する。制御局装置３３０から送付される情報は、通信システム３００で用いられる周波数を制御するための制御情報である。制御情報受信装置３１３ａは、制御局装置３３０から通知される周波数制御情報から各チャネルの配置情報を抽出する。周波数変更装置３１３ｂは、抽出された各チャネルの配置情報に基づいて周波数の配置を行う。
【００７７】
通信システム３００において、制御局装置３３０は、干渉波検出装置３３１、周波数割当装置３３２及び制御情報配信装置３３３を備える。
制御局装置３３０における干渉波検出装置３３１は、通信システム３００において、基地局装置３１０が送信する希望波における利用周波数帯域のうち、他のシステムから送信される無線信号によって干渉が発生する周波数帯域を入力される受信信号から検出する。干渉波検出装置３３１は、例えば、希望波が送信されていない環境において、当該希望波の利用周波数帯域のサブキャリアごとに、他無線信号の有無、信号強度などを検出することにより、干渉が発生する特定サブキャリアを検出する。干渉波検出装置３３１は、例えば、特定サブキャリアであるサブキャリアに対して「１」を対応付け、特定サブキャリア以外のサブキャリアに対して「０」を対応付けた干渉帯域判定値の列として、特定サブキャリア判定値の列を生成する。干渉波検出装置３３１は、検出結果を干渉波情報として出力する。
【００７８】
周波数割当装置３３２は、干渉波情報として入力されるサブキャリアごとの干渉状況を示す干渉帯域判定値に基づいて、定められる規則にしたがって自通信システムで用いるチャネルを選定する。また、周波数割当装置３３２は、選定された結果に基づいて周波数配列を決定し、その配列にしたがって周波数の割当を行う。定められた規則は、第１実施形態に示した周波数決定則と同じ規則である。
制御情報配信装置３３３は、対向する基地局装置３１０及び通信システム７００ｃ及び８００ｃに、選定されたチャネルの情報を含んだ周波数制御情報を配信する。
【００７９】
続いて、図を参照して周波数の割り付け手順を説明する。
図９は、第３実施形態における通信システムの動作を示すフローチャートである。
通信システム３００の周波数配置を管理する制御局装置３３０は、空中線３３４によって捕捉された受信信号を受信する（ステップＳｃ１１）。干渉波検出装置３３１が、干渉波の検出を行って干渉波情報を出力する（ステップＳｃ１２）。
【００８０】
周波数割当装置３３２は、出力された干渉波情報に基づき、周波数割付規則にしたがって周波数配列を選択し配置する。（ステップＳｃ１３）。
配置された周波数配列に基づいて周波数割当装置３３２が、周波数を割り付ける（ステップＳｃ１４）。制御情報配信装置３３３は、割り付けられた周波数の情報を含んだ周波数制御情報を基地局装置３１０及び通信システム７００ｃ、８００ｃに通信手段を用いて配信する（ステップＳｃ１５）
【００８１】
対向する基地局装置３１０では、制御局装置３３０から送信された周波数制御情報を受信する。制御部３１３における制御情報受信装置３１３ａは、制御局装置３３０から送信された周波数の割り付け情報を抽出する。（ステップＳｃ１６）。
抽出された周波数の割り付け情報にしたがって、周波数変更装置３１３ｂが、送信部３１１の送信周波数を変更する（ステップＳｃ１７）。送信部３１１は、割り付けられた周波数に基づいて、アップコンバータ装置１１１ｂの出力周波数を変更して送信信号を生成し、空中線１１４を介して送出する（ステップＳｃ１８）。
上記の手順により、制御局装置３３０によって受信された受信信号における干渉状況に基づいて、基地局装置３１０が送信する送信周波数を決定することができる。通信システム３００で使用する周波数を通信システム７００ｃ及び８００ｃに配信することで、通信システム７００ｃ及び８００ｃは、その周波数を考慮してそれぞれのシステムで利用する周波数配置を効率よく行うことが可能となる。そして、お互いの干渉を減らすことにより、それぞれの通信システムの品質を高めることが可能となる。
【００８２】
（第４実施形態）
以下、本発明の第４実施形態による通信システムにおける受信局（端末局装置）が備える受信部について図面を参照して説明する。
図１０は、上記の第２実施形態に示した端末局装置２２０が備える受信機能の機能構成を示すブロック図である。
【００８３】
図に示されるように、端末局装置２２０は、送信部２２１、受信部２２２、制御部２２３及び空中線１２４を備える。図１０において、図６に示された構成と同じ構成には同じ符号を付してある。以下では、図６と異なる構成について説明する。
端末局装置２２０において、受信部２２２は、受信処理部２２２ｂ、干渉情報抽出部２２２ｃ、フィルタ制御部２２２ｄ、フィルタ２２２ｅ、復調部２２２ｆ、デインターリーバ２２２ｇ及びＦＥＣ復号部２２２ｈを備える。
【００８４】
受信処理部２２２ｂは、受信された受信信号に対し、ダウンコンバートを行い、さらにアナログ／デジタル変換を行う。
干渉情報抽出部２２２ｃは、基地局装置２１０との通信を開始する際に決定される所望信号情報に基づいて、干渉信号の中心周波数と、干渉信号の周波数帯域幅と、干渉信号の受信電力とを含む干渉情報を受信信号から抽出する干渉情報抽出処理を行う。干渉情報抽出処理は、既存の技術により可能である。例えば、干渉情報抽出部２２２ｃは、受信信号に対してＦＦＴ（Fast Fourier Transform）を行うことによって受信信号の周波数スペクトルを算出し、算出された受信信号の周波数スペクトルと、所望信号情報に基づいて得られる所望信号の周波数スペクトルの推定結果との差分を算出することによって干渉信号の周波数スペクトルを推定し、この推定結果に基づいて干渉情報を抽出する。また、例えば、基地局装置２１０から所定のタイミングで送信される、サブキャリアに電力が割り当てられていない信号における周波数スペクトルに基づいて、干渉情報抽出部２２２ｃが干渉情報を抽出しても良い。
【００８５】
フィルタ制御部２２２ｄは、基地局装置２１０との通信開始時に所望信号情報を記憶し、所望信号情報と、干渉情報抽出部２２２ｃによって抽出された干渉情報とに基づいて、以下の二つの条件を満たすフィルタパラメータを決定し、決定されたフィルタパラメータをフィルタ２２２ｅに設定する。
（１）干渉信号が存在せず所望信号のみが存在する周波数帯域の受信信号を通過させる。
（２）干渉信号が存在する周波数帯域の受信信号を減衰させる。
なお、フィルタパラメータは、例えば、フィルタの種類と、遮断周波数とで構成される。
【００８６】
フィルタ２２２ｅは、フィルタ制御部２２２ｄによって設定されたフィルタパラメータのフィルタに基づいて、受信信号をフィルタリングする。即ち、フィルタ２２２ｅは、フィルタ制御部２２２ｄによって設定されたフィルタパラメータのフィルタに基づいて、このフィルタパラメータの決定時にフィルタ制御部２２２ｄによって参照された受信信号をフィルタリングする。
復調部２２２ｆは、フィルタ２２２ｅによってフィルタリングされた受信信号からガードインターバルを除去し、ＦＦＴを行い、復調を行うことによって復調信号を生成する。
デインターリーバ２２２ｇは、復調部２２２ｆによって生成された復調信号に対しデインターリーブを行う。
【００８７】
ＦＥＣ復号部２２２ｈは、デインターリーバ２２２ｇによってデインターリーブされた復調信号を、ＦＥＣ（Forward Error Collection）に従って復号し、誤りビットが訂正されたビット列を生成し、受信データを出力する。さらに、ＦＥＣ復号部２２２ｈは、ＦＥＣに従って復号し誤りビットが訂正されたビット列を生成する際に、誤り率を算出する。
【００８８】
制御情報付加装置２２３ａは、フィルタ制御部２２２ｄによって決定されたフィルタパラメータと、ＦＥＣ復号部２２２ｈによって算出される受信データの誤り率と、を表す送信用情報を生成する。そして、送信部２２１における送信ベースバンド信号発生器２２１ａは、生成された送信用情報に対し符号化処理や変調処理やデジタル／アナログ変換処理やアップコンバート処理などの処理を実行することによって送信用情報信号を生成し、生成された送信用情報信号を、空中線１２４を介して基地局装置２１０へ送信する。
【００８９】
次に、フィルタ制御部２２２ｄの動作の詳細について説明する。フィルタ制御部２２２ｄは、所望信号情報と干渉情報とに基づいて、所望信号と干渉信号との相対的な位置を算出し、この算出結果に応じてフィルタ２２２ｅに適用するフィルタパラメータを決定する。具体的には、フィルタ制御部２２２ｄは、所望信号情報及び干渉情報に基づいて、フィルタ２２２ｅに適用するフィルタの種類を、ハイパスフィルタ、ローパスフィルタ及びノッチフィルタの中から選択する。さらに、フィルタ制御部２２２ｄは、フィルタの遮断周波数を決定する。そして、フィルタ制御部２２２ｄは、決定したフィルタの種類と遮断周波数とに従って、フィルタ２２２ｅを制御する。
【００９０】
以下、図を用いてフィルタ制御処理の詳細を説明する。
図１１Ａ〜図１１Ｃは、フィルタ制御部２２２ｄがフィルタ２２２ｅにローパスフィルタを設定する場合のフィルタ制御処理の概略を表す概略図である。図１１Ａは、空中線１２４によって受信される受信信号の周波数スペクトルを、所望信号の周波数スペクトルと干渉信号のスペクトルとに分けて表す概略図である。図１１Ａにおいて、縦軸はパワーを表し、横軸は周波数を表し、符号ＤＳは所望信号の周波数スペクトルを示し、符号ＩＳは干渉信号の周波数スペクトルを示す。フィルタ制御部２２２ｄは、干渉信号の中心周波数及び周波数帯域幅に基づいて干渉信号の周波数帯域の最高値（ｂｍａｘ＿ｉ）を算出し、所望信号の中心周波数及び周波数帯域幅に基づいて所望信号の周波数帯域の最高値（ｂｍａｘ＿ｄ）を算出し、ｂｍａｘ＿ｉがｂｍａｘ＿ｄよりも高い場合には（図１１Ａ）、フィルタ２２２ｅにローパスフィルタを適用する。
【００９１】
図１１Ｂは、フィルタ制御部２２２ｄがフィルタ２２２ｅに適用するローパスフィルタの概略を表す概略図である。図１１Ｂにおいて、縦軸は利得（単位はｄＢ）を表し、横軸は周波数（単位はＨｚ）を表す。この場合、フィルタ制御部２２２ｄは、干渉信号の中心周波数及び周波数帯域幅に基づいて干渉信号の周波数帯域の最低値（ｂｍｉｎ＿ｉ）を算出し、ローパスフィルタの遮断周波数（ローパスフィルタの利得が−３ｄＢとなる周波数）ｆｃの値をｂｍｉｎ＿ｉに決定する。そして、フィルタ制御部２２２ｄは、符号ＦＰに示すような、フィルタの種類がローパスフィルタであり遮断周波数ｆｃがｂｍｉｎ＿ｉであるフィルタパラメータを、フィルタ２２２ｅに設定する。
図１１Ｃは、図１１Ａの信号を、図１１Ｂに示した特性を有するローパスフィルタで、フィルタ処理を行った場合の結果を示す。図に示されるように、干渉信号がフィルタ処理によって低減されていることが示されている。
以上、ローパスフィルタを適用する場合について示したが、検出された干渉信号の状況からハイパスフィルタ及びノッチフィルタを選択することができる。その際の遮断周波数は、上記の方法のようにして選択する。
なお、この図に示した構成は、上述の端末局装置２２０における受信部２２２に限らず、第１実施形態に示した端末局装置１２０における受信部１２２、並びに、基地局装置１１０における受信部１１２、基地局装置２１０における受信部２１２及び基地局装置３１０における受信部３１２等にも適応できる。
【００９２】
上述した実施形態によるスペクトル配置方法によれば、複数のサブキャリアを含むスペクトルを用いてマルチキャリア信号を送受信する送信局及び受信局から構成される通信システムが３以上同時に通信を行う際に、スペクトル配置を決める制御局におけるスペクトル配置が行える。送信局として定義された基地局装置１１０、２１０及び３１０は、自システムに割り当てられたスペクトルを用いてマルチキャリア信号を送信する。受信局として定義された端末局装置１２０及び２２０は、自システムに配置されたスペクトルにおける他システムである通信システム７００及び８００等との重畳帯域を予め認識する。端末局装置１２０及び２２０は、重畳帯域に対して干渉抑圧技術を適用し、干渉抑圧技術を適用した信号を誤り訂正復号することで自局宛のマルチキャリア信号を受信する。スペクトルの帯域幅と、他のスペクトルと重畳する予め決められた重畳帯域幅から導かれる重畳率を、各スペクトルで一定となるようにスペクトルを配置する。
このように、重畳率が各スペクトルで一定となるようにスペクトルを配置することで、スペクトルごとに重畳による影響を低減し、実質的な通信品質を確保して周波数を有効利用できる周波数配置方法を提供できる。
【００９３】
また、スペクトルの帯域幅は通信システムごとに可変であり、スペクトル配置ステップにおいて、スペクトルの帯域幅が狭いスペクトルを利用周波数帯域の端部に配置し、スペクトルの帯域幅が広いスペクトルを利用周波数帯域の中央部に配置することで、前記重畳率を各スペクトルで一定となるようにスペクトルが配置される。
このような配置によって、帯域幅の狭いスペクトルであっても所定の帯域を確保することができるようになり、さらに重畳率を各スペクトルで一定となるようにスペクトルが配置されることにより全体の伝送効率を高くすることができる。
【００９４】
また、端末局装置１２０及び２２０は、認識した重畳帯域を周波数フィルタを用いて除去することで干渉抑圧処理を行う。
これにより、干渉波が含まれる帯域を除去することができ、受信した受信信号の干渉波を抑圧することができる。
【００９５】
また、端末局装置１２０及び２２０は、認識した重畳帯域の受信信号の尤度（上述したサブキャリアの復調値に相当）をマスクし、誤り訂正復号ステップは、尤度をマスクされた受信信号に対して誤り訂正復号することで干渉抑圧処理を行い、自局宛のマルチキャリア信号を受信する。
これにより、干渉波が含まれるスペクトルを除去することができ、受信した受信信号の干渉波を抑圧することができる。
【００９６】
また、スペクトル配置は、端末局装置２２０などの受信局に設けられた干渉波検出装置２２２ａ（干渉信号検出手段）によって検出された結果に基づいて配置される。
これにより、受信局における受信環境に適したスペクトルを選択することが可能となり、受信局における受信品質を向上させることが可能となる。
【００９７】
また、スペクトル配置は、基地局装置１１０などの送信局に設けられた干渉信号検出装置１２２ａ（干渉信号検出手段）によって検出された結果に基づいて配置される。
これにより、送信局において直接周囲の受信環境を検出することが可能となり、他の地点で検出された結果が伝送されることなく、直接、干渉信号を検出することができるため、環境の変化に追従させる応答性を高めることができる。そして、その時々の通信環境に適したスペクトルを選択することが可能となり、通信品質を向上させることが可能となる。
【００９８】
また、スペクトル配置は、基地局装置３１０（送信局）及び端末局装置３２０（受信局）のいずれとも異なる制御局装置３３０に設けられた干渉波検出装置３３１（干渉信号検出手段）によって検出された結果に基づいて配置される。
これにより、制御局装置３３０における受信環境に適したスペクトルを選択することが可能となり、制御局装置３３０で検出された情報をもとに自通信システム（通信システム３００）及び他の通信システム（通信システム７００ｃ及び８００ｃ）のスペクトル配置を集中制御することが可能となる。
【００９９】
なお、本発明は、上記の各実施形態に限定されるものではなく、本発明の趣旨を逸脱しない範囲で変更可能である。本発明の受信方法における符号化方式には、あらゆる種類の符号化方式を使用することができ、受信装置の構成数や接続形態についても特に限定されるものではない。
また、上述した実施形態で示した干渉波検出装置１１２ａ、２２２ａは、周波数配置を目的とする干渉信号検出機能として専用に設けることもでき、また、受信信号から受信情報を再生することを目的とする干渉信号検出機能と兼用させてもよい。
また、上述した説明では、より周波数利用効率を高めるため、送信部１１１における帯域制御を行う実施形態を示した。帯域制御を行うことにより周波数利用効率を高める効果が得られるが、帯域制御を行わずに定められた帯域で送信することとしてもよい。
【０１００】
なお、本発明の通信システムは、通信システム１００、２００及び３００に相当する。また、本発明の送信局装置は、基地局装置１１０、２１０及び３１０に相当する。また、本発明の受信局装置は、端末局装置１２０、２２０及び３２０に相当する。また、本発明の制御局装置は、制御局装置３３０に相当する。また、本発明の干渉信号検出部は、干渉波検出装置１１２ａ、２２２ａ及び３３１に相当する。また、本発明のスペクトル配置部は、周波数割当装置１１３ａ及び３３２に相当する。また、本発明のスペクトル割り当て部は、周波数割当装置１１３ａ及び３３２に相当する。また、本発明の制御情報配信部は、制御情報配信装置３３３に相当する。また、本発明の制御情報送信部は、制御情報付加装置２２３ａに相当する。また、本発明の送信部は、送信部１１１及び３１１に相当する。また、本発明の受信部は、受信部１２２及び２２２に相当する。
【０１０１】
また、本発明の制御ステップは、制御部１１３による処理過程に相当する。また、本発明の送信ステップは、送信部１１１及び３１１による処理過程に相当する。また、本発明の重畳帯域認識ステップは、干渉波検出装置１１２ａ、２２２ａ及び３３１による処理過程に相当する。また、本発明の干渉抑圧ステップは、受信部１２０及び２２０による処理過程に相当する。また、本発明の誤り訂正復号ステップは、受信部１２２及び２１２による処理過程に相当する。また、本発明のスペクトル配置ステップは、周波数割当装置１１３ａ及び３３２による処理過程に相当する。また、本発明のスペクトル割り当てステップは、周波数割当装置１１３ａ及び３３２による処理過程に相当する。
【０１０２】
以下、本発明の第５実施形態を、図面を用いて説明する。
図１２は、本発明の第５実施形態による信号送信装置（送信局装置）の動作概要を示す。本実施形態による信号送信装置は、ＯＦＤＭ（Orthogonal Frequency Division Multiplexing：直交周波数分割多重）などのマルチキャリア信号を送信し、誤り訂正符号としてＦＥＣ（Forward Error Correction：前方誤り訂正）符号を用いる。この信号送信装置は、チャネル周波数帯域に複数のＦＥＣブロックを並べて送信する。このとき、信号送信装置は、それぞれのＦＥＣブロックについて、重畳率（信号の送信に使用する周波数帯域において干渉が発生している重畳帯域を利用する割合）が可変のサブキャリア割当法またはサブキャリアインターリーバを使用して、各ユーザのサービス品質要求、すなわち、ＱｏＳに応じた重畳率を与えるスケジューリングを行なう。つまり、ＱｏＳが高いユーザのデータについては非干渉帯域を多く割り当て、重畳率を低くして送信し、ＱｏＳが低いユーザのデータについては重畳帯域を多く割り当て、重畳率を高くして送信する。なお、制御情報については非干渉帯域のみを利用して送信する。これにより、制御情報や優先度の高いデータの欠落を防ぐ。
また、ユーザデータの受信状態に応じてユーザ毎に重畳率を与えることもできる。つまり、受信状態が良いユーザのデータについては重畳帯域を多く割り当て、重畳率を高くして送信し、受信状態が悪いユーザのデータについては非干渉帯域を多く割り当て、重畳率を低くして送信する。これにより、チャネル全体の周波数利用効率の向上効果を高める。
【０１０３】
図１２に示すように、受信状態をＤ／Ｕ（Desired to Undesired signal ratio；ＤＵ比）により表すこととする。また、ユーザ１のＱｏＳ要求が低、Ｄ／Ｕ＝２０ｄＢであり、ユーザ２のＱｏＳ要求が低、Ｄ／Ｕ＝０ｄＢであり、ユーザ３のＱｏＳ要求が高、Ｄ／Ｕ＝２０ｄＢであり、ユーザ４のＱｏＳ要求が高、Ｄ／Ｕ＝０ｄＢであったとする。
あるユーザについてのデータの送信に使用する周波数帯域をα、この使用周波数帯域のうち干渉帯域をβとした場合、当該ユーザの重畳率＝β／αである。このとき、ユーザ１、２、３、４の重畳率をそれぞれ６６％、５０％、３０％、１０％のように決定することができる。そして、ユーザ全体としての重畳率は、希望波の重畳率＝（希望波の重畳帯域ｂ）／（希望波の使用帯域ａ）と同じになるようにする。
【０１０４】
図１３は、本実施形態による信号送信装置１１００の構成を示すブロック図である。
同図において、信号送信装置１１００は、可変重畳率スケジューラ１１１０、ＯＦＤＭ変調器１１２０、Ｐ／Ｓ変換器（並列／直列変換器）１１３０、及び、記憶部１１４０を備える。
記憶部１１４０は、各ユーザのＱｏＳと、信号受信装置（受信局装置）より受信した受信品質と、信号受信装置より信号を受信した際に推定されたＳＩＮＲ値とを記憶している。さらに、記憶部１１４０は、空中線伝送路を想定して所要通信品質（Bit Error RateやFrame Error Rate等）を満足することのできる最小のＳＩＮＲ（Signal-to-Noise ratio；ＳＮ比）値を、可変し得る重畳率ごとに各変調符号化レベルについて算出したものを変調符号化レベルテーブルとして記憶している。
【０１０５】
可変重畳率スケジューラ１１１０は、Ｓ／Ｐ変換器（直列／並列変換器）１１１１、ブロック重畳率判定器１１１２、変調符号化レベル決定器１１１３、符号化・変調器１１１４−１〜１１１４−ｎ、及び、サブキャリア割当器１１１５を備える。
Ｓ／Ｐ変換器１１１１は、送信データをシリアル信号からパラレル信号へ変換し、各ユーザの信号をユーザ別に符号化・変調器１１１４−１〜ｎへ出力する。ブロック重畳率判定器１１１２は、記憶部１１４０に記憶されている各ユーザのＱｏＳと、当該ユーザのデータを受信する信号受信装置における受信品質とに基づいて重畳率を決定する。変調符号化レベル決定器１１１３は、記憶部１１４０に記憶されている変調符号化レベルテーブルを参照して、ブロック重畳率判定器１１１２により決定された重畳率と、記憶部１１４０に記憶されている各ユーザのデータの送信先である信号受信装置に対応した推定ＳＩＮＲ値とから変調符号化レベルを決定する。符号化・変調器１１１４−１〜ｎは、変調符号化レベル決定器１１１３が決定したユーザ毎の変調符号化レベルに従って、ＦＥＣ符号を用いて当該ユーザのデータを符号化し、符号化したデータを変調してサブキャリア割当器１１１５に出力する。サブキャリア割当器１１１５は、ブロック重畳率判定器１１１２により決定された重畳率に従って、干渉帯域及び非干渉帯域のサブキャリアに変調したデータを割り当て、ＯＦＤＭ変調器１１２０へパラレル信号として出力する。
【０１０６】
ＯＦＤＭ変調器１１２０は、サブキャリア割当器１１１５により各サブキャリアに割り当てられたパラレル信号を逆フーリエ変換して出力する。Ｐ／Ｓ変換器１１３０は、ＯＦＤＭ変調器１１２０により出力されたパラレル信号をシリアル変換してＯＦＤＭ信号を生成し、送信信号として出力する。
【０１０７】
図１４は、上述した信号送信装置１１００を用いた通信システムにおけるフローを示す図である。
同図において、信号受信装置が、干渉帯域の検出処理を行なう（ステップＳ１１１）。これは、例えば、信号受信装置が信号送信装置１１００に対して、希望波による無線信号送信の停止要求を送信し、希望波が送信されていない環境において、当該希望波の利用周波数帯域のサブキャリアごとに、他無線信号の有無、信号強度などを検出することにより、干渉が発生する周波数帯域を検出することができる。信号受信装置が干渉帯域を検出しなかった場合（ステップＳ１１２：ＮＯ）、処理を終了する。
干渉帯域を検出した場合（ステップＳ１１２：ＹＥＳ）、信号受信装置は、検出した干渉帯域の情報を信号送信装置１１００に通知し（ステップＳ１１３）、干渉補償／抑圧機構をＯＮにする（ステップＳ１１４）。信号送信装置１１００は、信号受信装置より受信した干渉帯域の情報を記憶部１１４０に書き込む。また、信号送信装置１１００は、信号受信装置より受信した信号からＳＩＮＲを推定して記憶部１１４０に書き込む。
【０１０８】
信号送信装置１１００の可変重畳率スケジューラ１１１０に送信データが入力されると、ブロック重畳率判定器１１１２は、記憶部１１４０を参照し、重畳帯域（干渉帯域）があるか否かを判断する（ステップＳ１２１）。重畳帯域があると判断した場合（ステップＳ１２１：ＹＥＳ）、ブロック重畳率判定器１１１２は、送信データが制御情報かユーザのデータかを判断する（ステップＳ１２２）。
送信データが制御情報である場合（ステップＳ１２２：制御情報）、ブロック重畳率判定器１１１２は重畳率を０とすることを決定し、変調符号化レベル決定器１１１３及びサブキャリア割当器１１１５に重畳率を出力する。変調符号化レベル決定器１１１３は、ブロック重畳率判定器１１１２が決定した重畳率と、記憶部１１４０に記憶されている推定ＳＩＮＲ値とにより、記憶部１１４０に記憶されている変調符号化レベルテーブルを参照し、変調符号化レベルを決定する。制御情報の送信データが入力された符号化・変調器１１１４−ｉ（ｉ＝１〜ｎ）は、変調符号化レベル決定器１１１３により決定された変調符号化レベルに従って、データの符号化及び変調を行なう。また、サブキャリア割当器１１１５は、制御情報の符号化データを全て非干渉帯域のサブキャリアに割り当て、ＯＦＤＭ変調器１１２０へ出力する（ステップＳ１２３）。
【０１０９】
送信データがユーザのデータである場合（ステップＳ１２２：データ）、ブロック重畳率判定器１１１２は、ユーザのＱｏＳを記憶部１１４０から読み出し、ＱｏＳレベルが所定のサービス品質レベルよりも高であるか低であるかを判断する。ＱｏＳレベルが所定のサービス品質レベルよりも高である場合（ステップＳ１２４：高）、ブロック重畳率判定器１１１２は、希望波の重畳率よりも低くなるようにユーザの重畳率を決定する（ステップＳ１２５）。変調符号化レベル決定器１１１３は、ブロック重畳率判定器１１１２が決定した重畳率と、記憶部１１４０に記憶されている推定ＳＩＮＲ値とにより、記憶部１１４０に記憶されている変調符号化レベルテーブルを参照し、ユーザの変調符号化レベルを決定する。
【０１１０】
続いて、ブロック重畳率判定器１１１２は、全データの平均重畳率が、ステップＳ１２１において受信した干渉帯域の情報から算出される希望波の重畳率と等しいかを判断する（ステップＳ１２６）。全データの平均重畳率が希望波の重畳率と等しい場合（ステップＳ１２６：ＹＥＳ）、ユーザのデータが入力された符号化・変調器１１１４−ｉ（ｉ＝１〜ｎ）は、変調符号化レベル決定器１１１３により決定された変調符号化レベルに従って符号化及び変調を行ない、サブキャリア割当器１１１５は、ブロック重畳率判定器１１１２により決定された各ユーザの重畳率に従って、当該ユーザの符号化データを干渉領域及び非干渉帯域のサブキャリアに割り当てる。
【０１１１】
ステップＳ１２６において、全データの平均重畳率が、希望波の重畳率と異なる場合（ステップＳ１２６：ＮＯ）、ユーザのデータが入力された符号化・変調器１１１４−ｉ（ｉ＝１〜ｎ）は、入力された送信データを分割し（ステップＳ１２７）、再びステップＳ１２４からの処理を繰り返す。つまり、与えられた重畳率で伝送し得る容量を超える大きさのデータは伝送できないため、ユーザのデータを複数のブロックに分割する。そして、スケジューリングにより、送りきれないデータをまるごと後続シンボルに割り当て直したり、ＦＥＣブロック長を短くしたりして１シンボルで送るデータ量を調整する。
【０１１２】
また、ステップＳ１２４において、ＱｏＳレベルが所定のサービス品質レベルよりも低である場合（ステップＳ１２４：低）、ブロック重畳率判定器１１１２は、希望波の重畳率よりも高くなるようにユーザの重畳率を決定する（ステップＳ１２８）。変調符号化レベル決定器１１１３は、ブロック重畳率判定器１１１２が決定した重畳率と、記憶部１１４０に記憶されている推定ＳＩＮＲ値とにより、記憶部１１４０に記憶されている変調符号化レベルテーブルを参照し、ユーザの変調符号化レベルを決定する。
【０１１３】
信号送信装置１１００は、ステップＳ１２８において、変調符号化レベルが選択できたかにより、信号受信装置との通信リンクの確立が可能かを判断する（ステップＳ１２９）。つまり、信号送信装置１１００は、変調符号化レベルテーブルを参照し、所要通信品質を満たす変調符号化レベルが一つも存在しない重畳率では通信リンクが確立できないと判断する。通信リンクの確立が可能であれば（ステップＳ１２９：ＹＥＳ）、全データの平均重畳率が、希望波の重畳率と異なるかを判断するステップＳ１２６からの処理を実行する。一方、通信リンクの確立が可能でなければ（ステップＳ１２９：ＮＯ）、重畳率を下げるステップＳ１２５からの処理を実行する。
【０１１４】
次に、信号送信装置１１００における詳細な重畳率設定処理を説明する。
信号送信装置１１００のＳ／Ｐ変換器１１１１は、送信データに付与されている制御データあるいは図示しない制御部から受信した制御データにより、各送信データがいずれのユーザの送信データであるかを判断し、送信データをユーザ別に符号化・変調器１１１４−１〜ｎへ出力する。例えば、Ｓ／Ｐ変換器１１１１は、ユーザ１のデータを符号化・変調器１１１４−１に出力し、ユーザ２のデータを符号化・変調器１１１４−２に出力し、ユーザ３のデータを符号化・変調器１１１４−３に出力し、ユーザ４のデータを符号化・変調器１１１４−４に出力する。
【０１１５】
ブロック重畳率判定器１１１２は、各ユーザの符号化データの重畳率を決定する。
図１５は、ＱｏＳ及び受信品質の組み合わせと、重畳率の関係を示す図である。ＱｏＳには、制御信号用の高品質、ユーザデータ用の高品質及び低品質の３段階がある。制御信号の場合、重畳率＝０とし、全ての符号化データを非干渉帯域で送信する。このため、同図においては、ユーザデータ用の高品質及び低品質についてのみ示している。受信品質には、例えば、Ｄ／Ｕ（Desired to Undesired signal ratio；ＤＵ比）、Ｓ／Ｎ（Signal-to-Noise ratio；ＳＮ比）、Ｃ／Ｉ（Carrier-to-interference；希望波電力対干渉波電力比）などを用いることができ、各ユーザのＤ／Ｕ、Ｓ／Ｎ、または、Ｃ／Ｉの値を所定の閾値と比較して、受信品質を高／低の２段階に分割する。なお、Ｄ／Ｕ、Ｓ／Ｎ、または、Ｃ／Ｉの情報は、通常、ユーザからの要求情報として上りリンクにより信号受信装置から通知される。
【０１１６】
同図において、要求されるサービス品質が低品質、すなわち、ＱｏＳが低い場合は、ユーザ全体の平均重畳率よりも高い重畳率を設定している。また、要求されるサービス品質が高品質、すなわち、ＱｏＳが高い場合は、ユーザ全体の平均重畳率よりも低い重畳率を設定している。さらに、受信品質が高い場合は、受信品質が低い場合よりも高い重畳率を設定している。つまり、（ＱｏＳ低かつ受信品質高の重畳率）＞（ＱｏＳ低かつ受信品質低の重畳率）＞（ユーザ全体での平均重畳率）＞（ＱｏＳ高かつ受信品質高の重畳率）＞（ＱｏＳ高かつ受信品質低の重畳率）となっている。
なお、ユーザ全体での平均重畳率＝希望波の重畳率＝（希望波の重畳帯域）／（希望波の使用帯域）である。
【０１１７】
変調符号化レベル決定器１１１３は、ブロック重畳率判定器１１１２が決定した重畳率と、記憶部１１４０に記憶されている、ユーザのデータの送信先である信号受信装置について推定したＳＩＮＲ値とにより、記憶部１１４０に記憶されている変調符号化レベルテーブルを参照し、所要通信品質を満足する変調符号化レベルの中で、伝送ビット量が最大の変調符号化レベルを選択する。
なお、変調符号化レベルは、変調方式と符号化率により示される。変調方式には、例えば、１６ＱＡＭ（Quadrature Amplitude Modulation：直交振幅変調）、６４ＱＡＭ、ＱＰＳＫ（Quadrature Phase Shift Keying：４位相偏移変調）等がある。また、符号化率とは、（符号化前のビット数）／（符号化後のビット数）である。従って、変調符号化レベルはＱＰＳＫ  １／２、１６ＱＡＭ  ３／４などとなる。
【０１１８】
符号化・変調器１１１４−１〜ｎは、自身に入力されたユーザのデータを、変調符号化レベル決定器１１１３により設定された当該ユーザの変調符号化レベルに従って、ＦＥＣを適用した符号化を行い、符号化されたデータを変調する。上記の例であれば、符号化・変調器１１１４−１はユーザ１の変調符号化レベルに基づいて符号化及び変調を行い、符号化・変調器１１１４−２はユーザ２の変調符号化レベルに基づいて符号化及び変調を行い、符号化・変調器１１１４−３はユーザ３の変調符号化レベルに基づいて符号化及び変調を行い、符号化・変調器１１１４−４はユーザ４の変調符号化レベルに基づいて符号化及び変調を行なう。
【０１１９】
サブキャリア割当器１１１５は、ブロック重畳率判定器１１１２によって決定された各ユーザの重畳率に従って、各ユーザの変調データにサブキャリアを割り当て、ＯＦＤＭ変調器１１２０へパラレル信号を出力する。ＯＦＤＭ変調器１１２０は、サブキャリア割当器１１１５により各サブキャリアに割り当てられたパラレル信号を逆フーリエ変換して出力する。Ｐ／Ｓ変換器１１３０は、ＯＦＤＭ変調器１１２０により出力されたパラレル信号をシリアル変換してＯＦＤＭ信号を生成し、送信信号として出力する。
【０１２０】
なお、図１３の信号送信装置１１００では、複数の符号化・変調器１１１４−１〜ｎを備えているが、１つのみを備えるようにすることもできる。この場合、図１６Ａに示すように、信号送信装置１１００は、制御情報や高ランクのＱｏＳが要求される送信データについては、連続型サブキャリア割当法を活用して、非干渉帯域にのみリソースを割り当てる。一方、図１６Ｂに示すように、その他の送信データについて、信号送信装置１１００は、分散型サブキャリア割当法を活用し、重畳帯域と非干渉帯域に分散したリソースを割り当てるようなスケジューリングを行なう。これにより、制御情報や優先度の高いデータの欠落を防ぐ。
【０１２１】
以下に、信号受信装置の例として、干渉領域のマスクを行う信号受信装置と、フィルタリングを行なう信号受信装置について説明する。
図１７は、干渉領域のマスクを行なう信号受信装置１３００の構成を示す概略ブロック図である。
信号受信装置１３００は、干渉帯域検出器１３０１、重み付け係数生成器１３０２、復調器１３０３、重み付け演算器１３０４、復号器１３０５を備え、誤り訂正符号による希望波と干渉波とからなる受信信号から、希望波に含まれる信号を抽出する。なお、干渉帯域検出器１３０１と復調器１３０３との間の接続は必須ではない。干渉帯域検出器１３０１は、例えば、ＦＷＡ（Fixed Wireless Access）などの信号受信装置１３００の置局時に、他のシステムから送信される無線信号により、自装置の希望波における利用周波数帯域のうち干渉が発生する周波数帯域を検出する。干渉帯域検出器１３０１は、例えば、希望波の送信元無線局に対し、希望波による無線信号送信の停止要求を送信し、希望波が送信されていない環境において、当該希望波の利用周波数帯域のサブキャリアごとに、他無線信号の有無、信号強度などを検出することにより、干渉が発生するサブキャリアを検出する。干渉帯域検出器１３０１は、例えば、特定サブキャリアであるサブキャリアに対して「１」を対応付け、特定サブキャリア以外のサブキャリアに対して「０」を対応付けた干渉帯域判定値の列として、特定サブキャリア判定値の列を生成する。干渉帯域検出器１３０１は、検出結果を重み付け係数生成器１３０２に出力する。
【０１２２】
重み付け係数生成器１３０２は、特定サブキャリア判定値に応じたサブキャリアごとの重み付け係数を算出する。重み付け係数生成器１３０２が算出する重み付け係数は、干渉帯域検出器１３０１により検出された干渉が発生するサブキャリアに関し、他のサブキャリアに比して信頼度を低減させる重み付け係数である。重み付け係数生成器１３０２は、算出した重み付け係数をサブキャリアごとに並べた列を重み付け演算器１３０４に出力する。
【０１２３】
復調器１３０３は、受信した誤り訂正符号化された希望波を含む無線信号をサブキャリアごとに電気信号に変換し、復調したサブキャリアごとの復調値を重み付け演算器１３０４に出力する。
重み付け演算器１３０４は、重み付け係数生成器１３０２から入力される重み付け係数に基づき、サブキャリアごとに、復調器１３０３から入力される復調値に重み付け演算処理を行い、演算結果をサブキャリアごとに並べた列を尤度データ列として復号器１３０５に出力する。
復号器１３０５は、重み付け演算器１３０４から入力される尤度データ列に基づき、誤り訂正処理、及び復号処理を行い、希望波の信号を取得する。
【０１２４】
図１８は、信号受信装置１３００の処理フローを示す図である。
信号受信装置１３００の干渉帯域検出器１３０１は、信号受信装置１３００の置局時に、希望波がないタイミングや、希望波がないサブキャリアの周波数帯域において、希望波のサブキャリアごとの周波数帯域における無線信号の受信レベル、周波数帯域、中心周波数、希望波へのオーバーラップ帯域などを測定、検出することにより、干渉波の情報を取得する。
また、干渉帯域検出器１３０１は、取得した干渉波の情報に基づき、干渉波が存在するサブキャリアを特定サブキャリアとして選択（検出）する。干渉帯域検出器１３０１は、例えば、受信レベルの値に基づき、所定の値以上の受信レベルの信号を受信した周波数帯域のサブキャリアを特定サブキャリアとして検出する。
【０１２５】
図１９Ａ〜図１９Ｄは、信号受信装置１３００の処理内容の概念図である。干渉帯域検出器１３０１は、図１９Ａにおいて、希望波と干渉波とが重複するオーバーラップ帯域Ｗ（干渉帯域）に含まれるサブキャリアＳＣ１〜ＳＣ４を特定サブキャリアとして検出する。干渉帯域検出器１３０１は、サブキャリアＳＣ１〜ＳＣ４に対し「１」を対応付けて、他のサブキャリアに「０」を対応付けた特定サブキャリア判定値の列を生成する。
図１８に戻り、干渉帯域検出器１３０１は、生成した特定サブキャリア判定値の列を重み付け係数生成器１３０２に出力する（ステップＳ３１０）。
【０１２６】
重み付け係数生成器１３０２は、干渉帯域検出器１３０１が生成した特定サブキャリア判定値に基づき、特定サブキャリアの信頼度を他のサブキャリアに比して低減させる重み付け係数を生成する。この重み付け係数は、例えば、特定サブキャリア判定値の列において「１」が対応付けられているサブキャリアに対し、復調値を所定の値、例えば、「０」に変換させる重み付け係数である。
重み付け係数生成器１３０２は、生成したサブキャリアごとの重み付け係数の列を重み付け演算器１３０４に出力する（ステップＳ３２０）。
【０１２７】
なお、上述したステップＳ３１０〜Ｓ３２０の処理は、信号受信装置１３００において、信号を受信する前に行う処理である。次に、希望波による無線信号の受信処理について説明する。復調器１３０３は、希望波の周波数帯域の無線信号をサブキャリアごとに復調し、復調したサブキャリアごとの復調値のデジタルデータを重み付け演算器１３０４に出力する。
【０１２８】
重み付け演算器１３０４は、サブキャリアごとの重み付け係数とサブキャリアごとの復調値とに基づき、希望波の符号化方法に応じた演算方法により、重み付け演算処理を行い、演算結果の列を尤度データ列として復号器１３０５に出力する（ステップＳ３３０）。
この符号化方法に応じた重み付け演算方法の一例として、希望波の符号化方法が軟判定正負多値の符号化方法である場合を例に図１９Ｂ〜図１９Ｄを用いて説明する。この軟判定正負多値の符号化方法における復号処理は、受信信号の復調値が正負の多値出力であり、絶対値の大きさを信頼度（尤もらしさを表す値、尤度）として負の値を値「＋１」、正の値を値「−１」と判定する復号処理を行う。
【０１２９】
図１９Ｂは、サブキャリアごとの重み付け係数を示す図である。また、図１９Ｃは、サブキャリアごとの正負多値出力の復調値を示す図である。同図において、最も「−１」であることへの信頼度が高いのは、最大の正値「＋２７．０２」のサブキャリアである。一方、最も「＋１」であることへの信頼度が高いのは、最小の負値「−２６．３４」のサブキャリアである。
一方、「＋１」と「−１」とのいずれであるか、最もあいまいである（信頼度が低い）のは、絶対値が最も小さい値、すなわち、復調値が０のサブキャリアである。
【０１３０】
したがって、図１８のステップＳ３２０において、重み付け係数生成器１３０２により算出される重み付け係数に基づき、重み付け演算器１３０４が、特定サブキャリアであるサブキャリアＳＣ１〜４の復調値を「０」に変換させる重み付け演算処理を行うことにより、サブキャリアＳＣ１〜４の復調値の信頼度を低減させることが可能になる。ここでは、重み付け係数生成器１３０２は、図１９Ｂに示すように、図１９Ａの特定サブキャリア判定値の論理否定の値をサブキャリアごとに対応付けた重み付け係数の列として生成することとする。
【０１３１】
重み付け演算器１３０４による重み付け演算の一例として、重み付け演算器１３０４は、図１９Ｂに示されているような特定サブキャリア判定値の論理否定の値である重み付け係数と、図１９Ｃに示されているような復調値とを対応するサブキャリアごとに乗算する。具体的には、重み付け演算器１３０４が、特定サブキャリアであるサブキャリアＳＣ１について、復調値「−２５．３２」と重み付け係数「０」とを乗算し、乗算結果「０」を重み付け演算後の復調値として復号器１３０５に出力する。同様に、重み付け演算器１３０４は、特定サブキャリア以外のサブキャリアについては、復調値と重み付け係数「１」とを乗算する。そして、重み付け演算器１３０４は、全サブキャリアの乗算結果の列を尤度データ列として復号器１３０５に出力する。
【０１３２】
図１９Ｄは、重み付け演算器１３０４により、重み付け係数と、正負多値復調値とをサブキャリアごとに重み付け演算した尤度データ列を示す図である。同図に示すように、特定サブキャリアであるサブキャリアＳＣ１〜ＳＣ４に対応する重み付け演算後の尤度データの値は、信頼度が最も低い値「０」であり、他の復調値は変化しない。
【０１３３】
図１８に戻り、復号器１３０５は、重み付け演算器１３０４から入力される尤度データ列に基づき、希望波の符号化方法に対応する復号処理を行う。希望波に適用する誤り訂正用の符号化方法としては、例えば、畳み込み符号（Convolutional coding）や、繰り返し復号とターボ符号とを組み合わせた方法などに応じた方法が適用可能である（ステップＳ３４０）。
【０１３４】
上述の信号受信装置１３００では、置局時に希望波の周波数帯域における干渉波を干渉帯域検出器１３０１が計測し、この計測結果に基づき、受信信号の干渉波が存在する特定サブキャリアについて、重み付け係数生成器１３０２が信頼度を低減させる重み付け係数を算出し、重み付け演算器１３０４が受信信号の復調値に対して重み付け係数に基づき特定サブキャリアの信頼度を低減させる処理を行う。
このように、信号受信装置１３００が、サブキャリアごとの受信信号の信頼度に応じて復調値に重み付け演算を行い、信頼度の低い特定サブキャリアをマスクし、信頼度の高いサブキャリアの復調値を用いて受信信号を復号することにより、受信誤り訂正能力を向上させることが可能になる。
【０１３５】
なお、本実施形態においては、重み付け係数生成器１３０２により算出される重み付け係数が、干渉帯域検出器１３０１による２値の特定サブキャリア判定値の論理否定の値であり、結果としてビットマスクである場合を例として説明した。しかし、これに限らず、次の係数を用いることでもよい。
【０１３６】
図２０Ａ〜図２０Ｂは、上述した重み付け係数の他の例における重み付け前の値と、重み付け後の値を示す図面である。
例えば、図２０Ａの軟判定出力型において、重み付け係数生成器１３０２は、正負多値出力の復調値に対し、特定サブキャリアの重み付け係数を所定値α（ただし、０≦α＜１）とし、他のサブキャリアの重み付け係数を１とする重み付け係数を算出することでもよい。
【０１３７】
重み付け演算器１３０４が、特定サブキャリアについて、復調値と所定値αとを乗算することにより、特定サブキャリアの復調値の絶対値を０方向に変換し、それにより、信頼度を低減させる。
また、軟判定出力型において、正数多値出力の復調値の場合、復調値が０に近いほどビット値を「−１」として復号し、復調値が最大値に近いほどビット値を「１」として復号する。このような場合において、重み付け係数生成器１３０２は、特定サブキャリアの復調値を出力候補値の中央値（例えば、出力候補値が０〜７であれば、その中央値の３または４）に置換する重み付け係数を算出することでもよい。
【０１３８】
また、図２０Ｂに示されるような硬判定出力型における「−１」と「＋１」との二値出力型の場合、重み付け係数生成器１３０２は、二値の復調値を「０」に置換する係数を特定サブキャリアの重み付け係数として重み付け演算器１３０４に出力することでもよい。
このように、ブロック符号化など、誤り訂正符号を適用しており、一部のサブキャリアの復調値等が欠落していても他のサブキャリアの復調値に基づき希望波の信号を取得することが可能な通信方式の場合、信頼度が低く、誤り発生の要因となるサブキャリアに対し、信頼度を下げる重み付け係数を用いて復調値に重み付け演算処理を行うことで、受信誤り訂正能力を向上させることができる。
【０１３９】
次に、干渉領域のフィルタリングを行なう受信装置について以下に説明する。
図２１は、信号受信装置１４００の機能構成を表すブロック図である。図示するように、信号受信装置１４００は、アンテナ１４０１と、受信部１４０２と、干渉情報抽出部１４０３と、フィルタ制御部１４０４と、遅延部１４０５と、フィルタ１４０６と、復調部１４０７と、デインターリーバ１４０８と、ＦＥＣ復号部１４０９とを備える。
【０１４０】
アンテナ１４０１は、所望信号と干渉信号とが合成された信号を受信する。
受信部１４０２は、受信された受信信号に対し、ダウンコンバートを行い、さらにアナログ／デジタル変換を行う。
【０１４１】
干渉情報抽出部１４０３は、信号送信装置との通信を開始する際に決定される所望信号情報に基づいて、干渉信号の中心周波数と、干渉信号の周波数帯域幅と、を含む干渉情報を受信信号から抽出する干渉情報抽出処理を行う。
【０１４２】
干渉情報抽出処理は、既存の技術により可能である。例えば、干渉情報抽出部１４０３は、受信信号に対してＦＦＴ（Fast Fourier Transform）を行うことによって受信信号の周波数スペクトルを算出し、算出された受信信号の周波数スペクトルと、所望信号情報に基づいて得られる所望信号の周波数スペクトルの推定結果との差分を算出することによって干渉信号の周波数スペクトルを推定し、この推定結果に基づいて干渉情報を抽出する。
【０１４３】
フィルタ制御部１４０４は、信号送信装置との通信開始時に所望信号情報を記憶し、所望信号情報と、干渉情報抽出部１４０３によって抽出された干渉情報とに基づいて、以下の二つの条件を満たすフィルタのパラメータを決定し、決定されたパラメータをフィルタ１４０６に設定する。
（１）干渉信号が存在せず所望信号のみが存在する周波数帯域の受信信号を通過させる
（２）干渉信号が存在する周波数帯域の受信信号を減衰させる
なお、フィルタのパラメータは、例えば、フィルタの種類と、遮断周波数とで構成される。
【０１４４】
遅延部１４０５は、受信部１４０２が処理を終了してから、干渉情報抽出部１４０３と、フィルタ制御部１４０４とが処理を終了するまでに要する時間に相当する時間遅延を受信信号に付加し、フィルタ１４０６へ出力する。遅延部１４０５が受信信号に対して付加する遅延の量は、予め設計者によって設定される。
【０１４５】
フィルタ１４０６は、フィルタ制御部１４０４によって設定されたパラメータのフィルタに基づいて、遅延部１４０５によって遅延が付加された受信信号をフィルタリングする。即ち、フィルタ１４０６は、フィルタ制御部１４０４によって設定されたパラメータのフィルタに基づいて、このパラメータの決定時にフィルタ制御部１４０４によって参照された受信信号をフィルタリングする。
復調部１４０７は、フィルタ１４０６によってフィルタリングされた受信信号からガードインターバルを除去し、ＦＦＴを行い、復調を行うことによって復調信号を生成する。
【０１４６】
デインターリーバ１４０８は、復調部１４０７によって生成された復調信号に対しデインターリーブを行う。
ＦＥＣ復号部１４０９は、デインターリーバ１４０８によってデインターリーブされた復調信号を、ＦＥＣに従って復号し、誤りビットが訂正されたビット列を生成し、受信データを出力する。
【０１４７】
図２２は、受信信号と、所望信号と、干渉信号との周波数スペクトルを表す概念図である。図２２において、縦軸はパワーを表し、横軸は周波数を表す。図２２（ａ）は、アンテナ１４０１によって受信される信号の周波数スペクトルを表す概念図である。図２２（ｂ）は、図２２（ａ）の受信信号に含まれる所望信号の周波数スペクトルを表す概念図である。図２２（ｂ）において、符号ＤＳは所望信号の周波数スペクトルを示し、ｆｃ＿ｄは所望信号の中心周波数を示し、ｂｗ＿ｄは所望信号の周波数帯域幅を示す。図２２（ｃ）は、図２２（ａ）の受信信号に含まれる干渉信号の周波数スペクトルを表す概念図である。図２２（ｃ）において、符号ＩＳは干渉信号の周波数スペクトルを示し、ｆｃ＿ｉは干渉信号の中心周波数を示し、ｂｗ＿ｉは干渉信号の周波数帯域幅を示す。
【０１４８】
次に、フィルタ制御部１４０４の動作の詳細について説明する。フィルタ制御部１４０４は、所望信号情報と干渉情報とに基づいて、所望信号と干渉信号との相対的な位置を算出し、この算出結果に応じてフィルタ１４０６に適用するフィルタパラメータを決定する。具体的には、フィルタ制御部１４０４は、所望信号情報及び干渉情報に基づいて、フィルタ１４０６に適用するフィルタの種類を、ハイパスフィルタと、ローパスフィルタと、ノッチフィルタの中から選択する。さらに、フィルタ制御部１４０４は、フィルタの遮断周波数を決定する。そして、フィルタ制御部１４０４は、決定したフィルタの種類と遮断周波数とに従って、フィルタ１４０６を制御する。
図２３〜図２５は、フィルタ制御部１４０４によって行われるフィルタ制御処理の概略を表す概略図である。以下、図２３〜図２５を用いてフィルタ制御処理の詳細を説明する。
【０１４９】
図２３は、フィルタ制御部１４０４がフィルタ１４０６にローパスフィルタを設定する場合のフィルタ制御処理の概略を表す概略図である。図２３（ａ）は、アンテナ１４０１によって受信される信号の周波数スペクトルを、所望信号の周波数スペクトルと干渉信号のスペクトルとに分けて表す概略図である。図２３（ａ）において、縦軸はパワーを表し、横軸は周波数を表し、符号ＤＳは所望信号の周波数スペクトルを示し、符号ＩＳは干渉信号の周波数スペクトルを示す。フィルタ制御部１４０４は、干渉信号の中心周波数（ｆｃ＿ｉ）及び周波数帯域幅（ｂｗ＿ｉ）に基づいて干渉信号の周波数帯域の最高値（ｂｍａｘ＿ｉ）を算出し、所望信号の中心周波数（ｆｃ＿ｄ）及び周波数帯域幅（ｂｗ＿ｄ）に基づいて所望信号の周波数帯域の最高値（ｂｍａｘ＿ｄ）を算出し、ｂｍａｘ＿ｉがｂｍａｘ＿ｄよりも高い場合には（図２３（ａ））、フィルタ１４０６にローパスフィルタを適用する。
【０１５０】
図２３（ｂ）は、フィルタ制御部１４０４がフィルタ１４０６に適用するローパスフィルタの概略を表す概略図である。図２３（ｂ）において、縦軸は利得（単位はｄＢ）を表し、横軸は周波数（単位はＨｚ）を表す。この場合、フィルタ制御部１４０４は、干渉信号の中心周波数（ｆｃ＿ｉ）及び周波数帯域幅（ｂｗ＿ｉ）に基づいて干渉信号の周波数帯域の最低値（ｂｍｉｎ＿ｉ）を算出し、ローパスフィルタの遮断周波数（ローパスフィルタの利得が−３ｄＢとなる周波数）ｆ＿ｌｐｆの値をｂｍｉｎ＿ｉに決定する。そして、フィルタ制御部１４０４は、符号ＦＰに示すような、フィルタの種類がローパスフィルタであり遮断周波数ｆ＿ｌｐｆがｂｍｉｎ＿ｉであるパラメータを、フィルタ１４０６に設定する。
【０１５１】
図２３（ｃ）は、図２３（ｂ）に表されるローパスフィルタが設定されたフィルタ１４０６によって図２３（ａ）に表される受信信号がフィルタリングされた後の周波数スペクトルを表す概略図である。図示するように、フィルタ１４０６は、干渉信号の周波数帯域の最低値（ｂｍｉｎ＿ｉ）よりも高い周波数の信号のパワーを、その信号が所望信号であるか干渉信号であるかに関わらず減衰させる。
【０１５２】
図２４は、フィルタ制御部１４０４がフィルタ１４０６にノッチフィルタを設定する場合のフィルタ制御処理の概略を表す概略図である。図２４（ａ）は、アンテナ１４０１によって受信される信号の周波数スペクトルを、所望信号の周波数スペクトルと干渉信号のスペクトルとに分けて表す概略図である。図２４（ａ）において、縦軸はパワーを表し、横軸は周波数を表し、符号ＤＳは所望信号の周波数スペクトルを示し、符号ＩＳは干渉信号の周波数スペクトルを示す。フィルタ制御部１４０４は、干渉信号の中心周波数（ｆｃ＿ｉ）及び周波数帯域幅（ｂｗ＿ｉ）に基づいて干渉信号の周波数帯域の最高値（ｂｍａｘ＿ｉ）及び最低値（ｂｍｉｎ＿ｉ）を算出し、所望信号の中心周波数（ｆｃ＿ｄ）及び周波数帯域幅（ｂｗ＿ｄ）に基づいて所望信号の周波数帯域の最高値（ｂｍａｘ＿ｄ）及び最低値（ｂｍｉｎ＿ｄ）を算出し、ｂｍａｘ＿ｉがｂｍａｘ＿ｄよりも低く且つｂｍｉｎ＿ｉがｂｍｉｎ＿ｄよりも高い場合には（図２４（ａ））、フィルタ１４０６にノッチフィルタを適用する。
【０１５３】
図２４（ｂ）は、フィルタ制御部１４０４がフィルタ１４０６に適用するノッチフィルタの概略を表す概略図である。図２４（ｂ）において、縦軸は利得（単位はｄＢ）を表し、横軸は周波数（単位はＨｚ）を表す。この場合、フィルタ制御部１４０４は、干渉信号の中心周波数（ｆｃ＿ｉ）及び周波数帯域幅（ｂｗ＿ｉ）に基づいて干渉信号の周波数帯域の最低値（ｂｍｉｎ＿ｉ）及び最高値（ｂｍａｘ＿ｉ）を算出し、ノッチフィルタの２つの遮断周波数（ノッチフィルタの利得が−３ｄＢとなる２つの周波数）ｆ＿ｂｅｆ１およびｆ＿ｂｅｆ２の値をｂｍｉｎ＿ｉ及びｂｍａｘ＿ｉに決定する。そして、フィルタ制御部１４０４は、符号ＦＰに示すような、フィルタの種類がノッチフィルタであり２つの遮断周波数ｆ＿ｂｅｆ１およびｆ＿ｂｅｆ２がｂｍｉｎ＿ｉ及びｂｍａｘ＿ｉであるパラメータを、フィルタ１４０６に設定する。
【０１５４】
図２４（ｃ）は、図２４（ｂ）に表されるノッチフィルタが設定されたフィルタ１４０６によって図２４（ａ）に表される受信信号がフィルタリングされた後の周波数スペクトルを表す概略図である。図示するように、フィルタ１４０６は、干渉信号の周波数帯域の最低値（ｂｍｉｎ＿ｉ）と最高値（ｂｍａｘ＿ｉ）との間の周波数の信号のパワーを、その信号が所望信号であるか干渉信号であるかに関わらず減衰させる。
【０１５５】
図２５は、フィルタ制御部１４０４がフィルタ１４０６にハイパスフィルタを設定する場合のフィルタ制御処理の概略を表す概略図である。図２５（ａ）は、アンテナ１４０１によって受信される信号の周波数スペクトルを、所望信号の周波数スペクトルと干渉信号のスペクトルとに分けて表す概略図である。図２５（ａ）において、縦軸はパワーを表し、横軸は周波数を表し、符号ＤＳは所望信号の周波数スペクトルを示し、符号ＩＳは干渉信号の周波数スペクトルを示す。フィルタ制御部１４０４は、干渉信号の中心周波数（ｆｃ＿ｉ）及び周波数帯域幅（ｂｗ＿ｉ）に基づいて干渉信号の周波数帯域の最低値（ｂｍｉｎ＿ｉ）を算出し、所望信号の中心周波数（ｆｃ＿ｄ）及び周波数帯域幅（ｂｗ＿ｄ）に基づいて所望信号の周波数帯域の最低値（ｂｍｉｎ＿ｄ）を算出し、ｂｍｉｎ＿ｉがｂｍｉｎ＿ｄよりも低い場合には（図２５（ａ））、フィルタ１４０６にハイパスフィルタを適用する。
【０１５６】
図２５（ｂ）は、フィルタ制御部１４０４がフィルタ１４０６に適用するハイパスフィルタの概略を表す概略図である。図２５（ｂ）において、縦軸は利得（単位はｄＢ）を表し、横軸は周波数（単位はＨｚ）を表す。この場合、フィルタ制御部１４０４は、干渉信号の中心周波数（ｆｃ＿ｉ）及び周波数帯域幅（ｂｗ＿ｉ）に基づいて干渉信号の周波数帯域の最高値（ｂｍａｘ＿ｉ）を算出し、ハイパスフィルタの遮断周波数（ハイパスフィルタの利得が−３ｄＢとなる周波数）ｆ＿ｈｐｆの値をｂｍａｘ＿ｉに決定する。そして、フィルタ制御部１４０４は、符号ＦＰに示すような、フィルタの種類がハイパスフィルタであり遮断周波数ｆ＿ｈｐｆがｂｍａｘ＿ｉであるパラメータを、フィルタ１４０６に設定する。
【０１５７】
図２５（ｃ）は、図２５（ｂ）に表されるハイパスフィルタが設定されたフィルタ１４０６によって図２５（ａ）に表される受信信号がフィルタリングされた後の周波数スペクトルを表す概略図である。図示するように、フィルタ１４０６は、干渉信号の周波数帯域の最高値（ｂｍａｘ＿ｉ）よりも低い周波数の信号のパワーを、その信号が所望信号であるか干渉信号であるかに関わらず減衰させる。
【０１５８】
次に、信号受信装置１４００の動作及び処理手順について説明する。
図２６は、信号受信装置１４００がフィルタの制御を行う場合の処理手順を示すフローチャートである。
【０１５９】
図２６に示すように、まずアンテナ１４０１が信号を受信し、受信部１４０２がダウンコンバート及びアナログ／デジタル変換を受信信号に対して行う（ステップＳ４１０）。次に、受信部１４０２によって処理がなされた受信信号から、干渉情報抽出部１４０３が干渉情報を抽出する（ステップＳ４２０）。次に、フィルタ制御部１４０４が、干渉情報抽出部１４０３によって抽出された干渉情報と、フィルタ制御部１４０４が記憶している所望信号情報とに基づいて、上述したようにフィルタ１４０６に適用されるフィルタの種類と、フィルタの遮断周波数とを決定する（ステップＳ４３０）。そして、フィルタ制御部１４０４が、決定されたフィルタの種類とフィルタの遮断周波数とをフィルタ１４０６に設定する（ステップＳ４４０）。
【０１６０】
ステップＳ４２０〜ステップＳ４４０の処理と並行して、遅延部１４０５が受信信号に遅延を付加する（ステップＳ４５０）。次に、フィルタ１４０６が、ステップＳ４４０の処理において設定されたパラメータに従ってフィルタを形成し、遅延が付加された受信信号をフィルタリングすることによって、受信信号において干渉信号が存在する周波数帯域のパワーを減衰させる（ステップＳ４６０）。次に、復調部１４０７が、フィルタ１４０６を通過した受信信号を復調し、復調信号を生成する（ステップＳ４７０）。次に、デインターリーバ１４０８が、復調信号をデインターリーブする（ステップＳ４８０）。そして、ＦＥＣ復号部１４０９が、デインターリーブされた復調信号をＦＥＣ復号し（ステップＳ４９０）、復号された受信データを出力し（ステップＳ５００）、このフローチャート全体の処理を終了する。
【０１６１】
このように、信号受信装置１４００においては、干渉情報抽出部１４０３が干渉情報を抽出し、フィルタ制御部１４０４が干渉信号の存在する周波数帯域の信号を減衰させるフィルタのパラメータをフィルタ１４０６に設定する。そして、フィルタ１４０６が受信信号をフィルタリングすることによって、受信信号に含まれる信号のうち、干渉信号が存在する周波数帯域の信号が減衰する。そのため、受信信号における干渉信号の影響を軽減させることが可能となる。
【０１６２】
以上、本発明の実施形態を説明したが、本発明は上述した実施形態に限定されるものではなく、本発明の趣旨を逸脱しない範囲で構成の付加，省略，置換，およびその他の変更が可能である。本発明は前述した説明によって限定されることはなく、添付の請求の範囲によってのみ限定される。
【産業上の利用可能性】
【０１６３】
本発明は、例えば、複数のサブキャリアを含むスペクトルを用いたマルチキャリア信号の通信に利用可能である。本発明によれば、マルチキャリア信号の送信に利用する利用周波数帯域の周波数利用効率を向上することができる。
【符号の説明】
【０１６４】
１００  通信システム
１１０  基地局装置
１１１  送信部
１１２  受信部
１１３  制御部
１１４  空中線
１１１ａ  送信ベースバンド信号生成器
１１１ｂ  アップコンバータ装置
１１２ａ  干渉波検出装置
１１３ａ  周波数割当装置
１１３ｂ  周波数変更装置
１１３ｃ  帯域幅変更装置
１２０  端末局装置
１２１  送信部
１２２  受信部
１２３  制御部
１２４  空中線
１１００  信号送信装置
１１１０  可変重畳率スケジューラ
１１１１  直列／並列変換器
１１１２  ブロック重畳率判定器
１１１３  変調符号化レベル決定器
１１１４−１〜１１１４−ｎ  符号化・変調器
１１１５  サブキャリア割当器
１１２０  ＯＦＤＭ変調器
１１３０  並列／直列変換器
１１４０  記憶部
１３００  信号受信装置
１３０１  干渉帯域検出器
１３０２  重み付け係数生成器
１３０３  復調器
１３０４  重み付け演算器
１３０５  復号器
１４００  信号受信装置
１４０１  アンテナ
１４０２  受信部
１４０３  干渉情報抽出部
１４０４  フィルタ制御部
１４０５  遅延部
１４０６  フィルタ
１４０７  復調部
１４０８  デインターリーバ
１４０９  ＦＥＣ復号部
【図１】
2010064438.tif 000003
【図２Ａ】
2010064438.tif 000004
【図２Ｂ】
2010064438.tif 000005
【図２Ｃ】
2010064438.tif 000006
【図３】
2010064438.tif 000007
【図４】
2010064438.tif 000008
【図５】
2010064438.tif 000009
【図６】
2010064438.tif 000010
【図７】
2010064438.tif 000011
【図８】
2010064438.tif 000012
【図９】
2010064438.tif 000013
【図１０】
2010064438.tif 000014
【図１１Ａ】
2010064438.tif 000015
【図１１Ｂ】
2010064438.tif 000016
【図１１Ｃ】
2010064438.tif 000017
【図１２】
2010064438.tif 000018
【図１３】
2010064438.tif 000019
【図１４】
2010064438.tif 000020
【図１５】
2010064438.tif 000021
【図１６Ａ】
2010064438.tif 000022
【図１６Ｂ】
2010064438.tif 000023
【図１７】
2010064438.tif 000024
【図１８】
2010064438.tif 000025
【図１９Ａ】
2010064438.tif 000026
【図１９Ｂ】
2010064438.tif 000027
【図１９Ｃ】
2010064438.tif 000028
【図１９Ｄ】
2010064438.tif 000029
【図２０Ａ】
2010064438.tif 000030
【図２０Ｂ】
2010064438.tif 000031
【図２１】
2010064438.tif 000032
【図２２】
2010064438.tif 000033
【図２３】
2010064438.tif 000034
【図２４】
2010064438.tif 000035
【図２５】
2010064438.tif 000036
【図２６】
2010064438.tif 000037
【図２７】
2010064438.tif 000038
【国際調査報告】
2010064438.tif 000039
2010064438.tif 000040
2010064438.tif 000041
2010064438.tif 000042